(57)【特許請求の範囲】
【請求項１】
人体部分を分析するデータ処理方法（Ａ１−Ａ１４ａ；Ａ１−Ａ１４ｂ）において、上記方法は、
人体部分の対応する場所をそれぞれ特徴付ける複数のパラメータ値を含むパラメトリックマップを提供するステップ（Ａ１−Ａ４）と、
選択された分析場所に対応する複数の分析パラメータ値の少なくとも１つの分布に係る少なくとも１つの統計的指示子を決定するステップ（Ａ５−Ａ１１ａ−Ａ５−Ａ１１ｂ）であって、各統計的指示子は、上記分析場所によって定義される上記人体部分の分析領域の状態を示すステップとを含み、
上記方法において、上記少なくとも１つの統計的指示子を決定するステップは、上記分析パラメータ値の各分布について、
上記分析場所を少なくとも含む選択された処理場所に対応する処理パラメータ値の順序付けられたシーケンスを、予め定義された自動スケーリング率に従って決定された所定個数の処理パラメータ値を含む第１の部分集合及び第２の部分集合に分割する飽和値を決定するステップ（Ａ５）と、
各処理場所について、
ａ）上記対応する処理パラメータ値が上記第２の部分集合に含まれる場合には、当該対応する処理パラメータ値に等しく、
ｂ）上記対応する処理パラメータ値が上記第１の部分集合に含まれる場合には、上記飽和値に等しい、
自動スケーリングされた値を含む自動スケーリングされたマップを生成するステップ（Ａ６）と、
上記分析場所に対応する上記自動スケーリングされた値から上記少なくとも１つの統計的指示子を決定するステップ（Ａ８ａ−Ａ１１ａ；Ａ８ｂ−Ａ１１ｂ）とを含む方法。
【請求項２】
各パラメータ値は、予め投与された造影剤で灌流されている上記人体部分の対応する場所の灌流を示す請求項１記載の方法（Ａ１−Ａ１４ａ；Ａ１−Ａ１４ｂ）。
【請求項３】
上記第１の部分集合の処理パラメータ値は、上記飽和値以上である請求項１又は２記載の方法（Ａ１−Ａ１４ａ；Ａ１−Ａ１４ｂ）。
【請求項４】
上記飽和値を決定するステップ（Ａ５）は、
上記処理パラメータ値の累積ヒストグラムを計算するステップ（Ａ５）と、
上記飽和値を、上記累積ヒストグラムにおける上記自動スケーリング率に関連付けられた処理パラメータ値に設定するステップ（Ａ５）とを含む請求項１〜３のいずれか１つに記載の方法（Ａ１−Ａ１４ａ；Ａ１−Ａ１４ｂ）。
【請求項５】
上記自動スケーリング率は８０％から９９．９９％の範囲を有する請求項１〜４のいずれか１つに記載の方法（Ａ１−Ａ１４ａ；Ａ１−Ａ１４ｂ）。
【請求項６】
上記少なくとも１つの統計的指示子を決定するステップ（Ａ５−Ａ１１ａ−Ａ５−Ａ１１ｂ）はさらに、上記自動スケーリングされた値を予め定義された正規化範囲に正規化するステップ（Ａ７）を含む請求項１〜５のいずれか１つに記載の方法（Ａ１−Ａ１４ａ；Ａ１−Ａ１４ｂ）。
【請求項７】
上記少なくとも１つの統計的指示子を決定するステップ（Ａ８ａ−Ａ１１ａ；Ａ８ｂ−Ａ１１ｂ）は、上記分析場所に対応する上記自動スケーリングされた値のヒストグラムを計算するステップ（Ａ９ａ；Ａ９ｂ）を含む請求項１〜６のいずれか１つに記載の方法（Ａ１−Ａ１４ａ；Ａ１−Ａ１４ｂ）。
【請求項８】
上記少なくとも１つの統計的指示子を決定するステップ（Ａ８ａ−Ａ１１ａ；Ａ８ｂ−Ａ１１ｂ）はさらに、上記ヒストグラムにパラメトリック関数をあてはめることにより上記ヒストグラムの確率関数を計算するステップ（Ａ１０ａ；Ａ１０ｂ）を含む請求項７記載の方法（Ａ１−Ａ１４ａ；Ａ１−Ａ１４ｂ）。
【請求項９】
上記少なくとも１つの統計的指示子を決定するステップ（Ａ８ａ−Ａ１１ａ；Ａ８ｂ−Ａ１１ｂ）は、上記分析場所に対応する上記分析パラメータ値の上記分布に係る少なくとも１つの統計的パラメータの値を計算するステップ（Ａ１１ａ；Ａ１１ｂ）を含む請求項１〜８のいずれか１つに記載の方法（Ａ１−Ａ１４ａ；Ａ８ｂ−Ａ１１ｂ）。
【請求項１０】
上記少なくとも１つの統計的パラメータの値を計算するステップ（Ａ１１ａ；Ａ１１ｂ）は、上記少なくとも１つの統計的パラメータの値を確率関数から計算するステップ（Ａ１１ａ；Ａ１１ｂ）を含む請求項９記載の方法（Ａ１−Ａ１４ａ；Ａ１−Ａ１４ｂ）。
【請求項１１】
上記処理場所はすべての上記場所を含み、上記分析場所は上記場所の部分集合を含む請求項１〜１０のいずれか１つに記載の方法（Ａ１−Ａ１４  Ａ１−Ａ１４ａ；Ａ１−Ａ１４ｂ）。
【請求項１２】
上記少なくとも１つの統計的パラメータは複数の統計的パラメータであり、
上記方法はさらに、各統計的パラメータについて可視の次元を有するグラフにおいて、上記統計的パラメータの各値を示す情報を表示するステップ（Ａ１２−Ａ１４ａ）を含む請求項１０又は１１記載の方法（Ａ１−Ａ１４ａ）。
【請求項１３】
上記統計的パラメータについて複数の基準範囲からなる少なくとも１つの集合を示す情報を格納する知識ベース（７２４）が設けられ、基準範囲からなる各集合は、上記人体部分の対応する推定された状態を示し、
上記方法はさらに、
上記知識ベースから、上記複数の基準範囲からなる少なくとも１つの集合を検索するステップ（Ａ１２）と、
上記複数の基準範囲からなる少なくとも１つの集合の表現を上記グラフに表示するステップ（Ａ１３）とを含む請求項１２記載の方法（Ａ１−Ａ１４ａ）。
【請求項１４】
上記分析場所に対応する上記分析パラメータ値の上記少なくとも１つの分布は、上記分析場所に対応する上記分析パラメータ値の複数の分布であって、選択された合成場所にそれぞれ対応する複数の分布を含み、各合成場所の上記分析場所は、上記分析場所を含む場所のうちの部分集合を含み、
上記方法はさらに、各合成場所について合成画像を生成するステップ（Ａ１２，Ａ１３ｂ）であって、上記合成画像は、対応する少なくとも１つの統計的指示子に基づく合成値を含むステップを含む請求項１〜１１のいずれか１つに記載の方法（Ａ１−Ａ１４ｂ）。
【請求項１５】
各合成場所の上記分析場所は、当該合成場所を中心として周囲に位置する、予め定義された共通の個数の場所を含む請求項１４記載の方法（Ａ１−Ａ１４ｂ）。
【請求項１６】
各合成場所の上記少なくとも１つの統計的指示子は、上記分析パラメータ値の対応する分布に係る複数の統計的パラメータの各値であり、
上記統計的パラメータについて複数の基準範囲からなる少なくとも１つの集合を示す情報を格納する知識ベース（７２４）が設けられ、基準範囲からなる各集合は、上記人体部分の対応する推定された状態を示し、
上記合成画像を生成するステップ（Ａ１２，Ａ１３ｂ）は、
上記知識ベースから、上記基準範囲からなる少なくとも１つの集合を検索するステップ（Ａ１２）と、
上記合成場所の上記統計的パラメータの値と上記基準範囲からなる少なくとも１つの集合との比較に従って、各合成場所の上記合成値を設定するステップ（Ａ１３ｂ）とを含む請求項１４又は１５記載の方法（Ａ１−Ａ１４ｂ）。
【請求項１７】
上記知識ベース（７２４）はさらに、基準範囲からなる各集合について異なる基準値を示す情報を格納するように適応化され、
上記合成画像を生成するステップ（Ａ１２，Ａ１３ｂ）は、
上記知識ベースから、上記少なくとも１つの基準値を検索するステップ（Ａ１２）と、
各合成場所の上記合成値を、当該合成場所の上記各統計的パラメータの値を含む複数の基準範囲からなる集合の各値に設定し、そうでなければデフォルト値に設定するステップ（Ａ１３ｂ）とを含む請求項１６記載の方法（Ａ１−Ａ１４ｂ）。
【請求項１８】
上記合成場所はすべての上記場所を含む請求項１４〜１７のいずれか１つに記載の方法（Ａ１−Ａ１４ｂ）。
【請求項１９】
コンピュータプログラム（７００ａ；７００ｂ）がデータ処理システム（１００）上で実行されたとき、請求項１〜１８のいずれか１つに記載のデータ処理方法（Ａ１−Ａ１４ａ；Ａ１−Ａ１４ｂ）のステップを当該データ処理システム（１００）に実行させるコード手段を含むコンピュータプログラム（７００ａ；７００ｂ）。
【請求項２０】
請求項１〜１８のいずれか１つに記載のデータ処理方法（Ａ１−Ａ１４ａ；Ａ１−Ａ１４ｂ）のステップを実行する手段（７００ａ；７００ｂ）を含む診断システム（１００）。
【請求項２１】
請求項２０記載の診断システム（１００）を構成する構成方法（８００）であって、上記構成方法は、
異なる複数のスキャナ及び／又はその設定を用いて取得された複数のサンプルパラメトリックマップを提供するステップ（８０６−８２１）であって、各サンプルパラメトリックマップは、上記人体部分に対応するサンプル人体部分の対応するサンプル場所をそれぞれ特徴付ける複数のサンプルパラメータ値を含むステップと、
上記サンプルパラメトリックマップに従って上記自動スケーリング率を決定するステップ（８２４）とを含む方法。
【請求項２２】
請求項１３記載のデータ処理方法のステップを実行する手段を含む診断システム（１００）を構成する請求項２１記載の構成方法（８００）であって、
上記サンプルパラメトリックマップは、上記サンプル人体部分の異なる推定された状態にそれぞれ対応する上記サンプルパラメトリックマップの複数の部分集合を含み、
上記方法はさらに、
各サンプルパラメトリックマップについてのサンプル飽和値であって、上記サンプルパラメトリックマップの上記サンプルパラメータ値からなる順序付けられたシーケンスを、上記自動スケーリング率に従って決定された所定個数のサンプルパラメータ値を含む第１のサンプル部分集合及び第２のサンプル部分集合に分割するサンプル飽和値を決定するステップ（８２７）と、
いずれかのサンプルパラメトリックマップにそれぞれ対応する複数の自動スケーリングされたサンプルマップを生成するステップ（８２７）であって、上記自動スケーリングされたサンプルマップは、上記サンプル人体部分の各サンプル場所について、
ａ）上記サンプルパラメトリックマップの対応するサンプルパラメータ値が上記第２のサンプル部分集合に含まれる場合には、当該サンプルパラメトリックマップの対応するサンプルパラメータ値に等しく、
ｂ）上記サンプルパラメトリックマップの対応するサンプルパラメータ値が上記第１のサンプル部分集合に含まれる場合には、上記サンプル飽和値に等しい、
自動スケーリングされたサンプル値を含むステップと、
各自動スケーリングされたサンプルマップの上記自動スケーリングされたサンプル値の分布に係る複数のサンプル統計的パラメータ値を計算するステップ（８３０−８４２）と、
サンプルパラメトリックマップの対応する部分集合のサンプル統計的パラメータ値から、各推定された状態の複数の基準範囲からなる集合を計算するステップ（８４５）とを含む方法。
【請求項２３】
上記推定された状態の区別を最適化するように、上記複数のサンプル統計的パラメータ又はそれらの組み合わせから上記統計的パラメータを選択するステップ（８３９）をさらに含む請求項２２記載の方法（８００）。
【請求項２４】
コンピュータプログラム（８００）がデータ処理システム（１００）上で実行されたとき、請求項２１〜２３のいずれか１つに記載の構成方法（８００）のステップを当該データ処理システム（１００）に実行させるコード手段を含むコンピュータプログラム（８００）。
【請求項２５】
データ処理システムの作業メモリに直接にロードされることで請求項１〜１８のいずれか１つに記載のデータ処理方法を実行するように当該データ処理システムを構成可能なコード手段を含むコンピュータプログラムを具体化する非揮発性のコンピュータ可読媒体を含む記憶媒体。
【請求項２６】
データ処理システムの作業メモリに直接にロードされることで請求項２１〜２３のいずれか１つに記載の構成方法を実行するように当該データ処理システムを構成可能なコード手段を含むコンピュータプログラムを具体化する非揮発性のコンピュータ可読媒体を含む記憶媒体。
【発明の詳細な説明】
【技術分野】
【０００１】
本発明の実施形態に係るソリューションは医療機器の分野に関する。より具体的には、このソリューションは、パラメトリック画像の分析に関する。
【背景技術】
【０００２】
パラメトリック画像は、診断時に適用される定量的分析の結果を図示するために広く用いられている。特に、この技術は、造影超音波イメージングにおける血液灌流の評価に使用可能である。この目的のために、例えばリン脂質安定化ガス充填微小気泡の懸濁液である超音波造影剤（ultrasonic contrast agent：ＵＣＡ）が患者に投与される。造影剤は、有効な超音波反射物として作用し、また、超音波を送ってそれに応答して戻ってくるエコー信号を測定することにより容易に検出することができる。造影剤は患者の体内の赤血球と同じ速度で流れるので、その検出及び追跡を行うことにより、分析対象の人体部分における血液の灌流についての情報がもたらされる。特に、人体部分の各場所について所定時間にわたって記録されたエコー信号は、所定の数学的モデル関数に関連付けられる。このモデル関数は、上記人体部分の場所を特徴付ける任意の所望の灌流パラメータ（例えば流入レート）を計算するために使用されるものである。その後、人体部分の所定の場所を表す各画素に対して灌流パラメータの対応する値（単に「灌流パラメータ値」という）を割り当てることにより、パラメトリック画像が生成される。このパラメトリック画像は、（例えば、病的状態に起因して）灌流時に異常が生じた人体部分の場所の候補を同定することを支援するように、人体部分にわたる灌流パラメータ値の空間的分布を示す。
【０００３】
パラメトリック画像は、また、ヒストグラムに基づいて統計的分析を行うために使用されてもよい。例えば、非特許文献１は、造影磁気共鳴（Magnetic Resonant：ＭＲ）イメージングの用途においてこの技術を用いることについて述べている。特に、脳血流量（Cerebral Blood Volume：ＣＢＶ）マップが作成される（これは適切な色スケールを維持するために必要とされる最小値と最大値との間に制限されている）。次いで、このＣＢＶマップは、影響を受けていない組織（典型的には、正常な対側白質）の値に対して正規化される。ここで、ＣＢＶマップの関心対象領域（Region of Interest：ＲＯＩ）における値のヒストグラムが計算される。このヒストグラムは、例えば、その標準偏差に基づいて、又は、（二値ロジスティック回帰によって特定されている）複数の計量値に基づいて、対応する神経膠腫のグレードを評価するために使用される。
【０００４】
同様に、非特許文献２は、正規化されたＣＢＶマップからヒストグラムを計算することについて述べている。結果的に得られる曲線はその後、１に正規化される。ヒストグラム分布のピーク高さを決定することにより、神経膠腫の悪性度を評価することができる（その結果は、ヒストグラムの形状を分析することでさらに改善可能である）。
【０００５】
さらに、非特許文献３は、神経膠腫のグレードと低グレードの稀突起神経膠細胞サブタイプとを特定するための、ピーク高さに対するカットオフ値を用いた同じ技術について述べている（ただし、著者ら自身は、カットオフ値を定義することが実際には困難であり、本質的にその転用可能性を低下させる、と認識している）。
【０００６】
最後の例として、非特許文献４は、（例えば、透磁率に基づく）造影ＭＲアプリケーションにおけるパラメトリック画像の統計的分析を用いて、治療に対する腫瘍の反応を評価することについて述べている。特に、この文献は、（対応するヒストグラムにより定性的に表されている）メジアン、範囲、又は歪度の値を用いることを提案している。
【先行技術文献】
【特許文献】
【０００７】
【特許文献１】欧州特許出願公開ＥＰ０４５８７４５Ａ
【特許文献２】国際出願の国際公開ＷＯ９１／１５ｂ２４４Ａ
【特許文献３】欧州特許出願公開ＥＰ０５５４２１３Ａ
【特許文献４】国際出願の国際公開ＷＯ９４／０９８２９Ａ
【特許文献５】国際出願の国際公開ＷＯ９５／１６４６７Ａ
【特許文献６】欧州特許出願ＥＰ０８１６９７９４．８
【非特許文献】
【０００８】
【非特許文献１】M. Law et al., "Histogram Analysis versus Region of Interest Analysis of Dynamic Susceptibility Contrast Perfusion MR Imaging Data in the Grading of Cerebral Gliomas", AJNR Am J Neuroradiol 28: 761-66, Apr 2007.
【非特許文献２】Kyrre E. Emblem et al., "Glioma Grading by Using Histogram Analysis of Blood Volume Heterogeneity from MR-derived Cerebral Blood Volume Maps", Radiology, pages 808-817, Volume 247, Number 3, June 2008.
【非特許文献３】K.E. Emblem et al., "Histogram Analysis of ＭＲ Imaging-Derived Cerebral Blood Volume Maps: Combined Glioma Grading and Identification of Low-Grade Oligodendroglial Subtypes", AJNR Am J Neuroradiol 29: 1664-70, Oct 2008.
【非特許文献４】C.Hayes et al., "Assessing tumour response to treatment: Histogram analysis of parametric maps of tumour vascular function derived from dynamic contrast-enhanced MR images", Proceedings of ISMRM 2000, Denver, Col, USA, April 2000.
【非特許文献５】Rafter et al., "Imaging technologies and techniques", Cardiology Clinics 22, pp.181-197, 2004.
【発明の概要】
【発明が解決しようとする課題】
【０００９】
しかしながら、造影超音波イメージングの場合に適用されるとき、上述した統計的分析は、（パラメトリック画像を生成する元になる）エコー信号を記録するために使用された機器に強く依存した結果をもたらす。さらに、所与の機器を用いた場合であっても、その設定（例えば、利得、対数圧縮、など）を変化させることにより異なる結果が得られる。従って、これらの結果は、絶対的な定量的評価のためには不適である。さらに、これらの結果は、異なる機器又は設定を用いる研究者の間で比較可能ではない。
【課題を解決するための手段】
【００１０】
概して、本発明の実施形態に係るソリューションは、自動スケーリング手順を適用する着想に基づく。
【００１１】
特に、本発明の一態様では、人体部分を分析する（例えば、ソフトウェアにより実装された）データ処理方法を提案する。本方法は、パラメトリックマップ（例えば、人体部分のパラメトリック画像）を提供するステップを含む。パラメトリックマップは、人体部分の対応する部分をそれぞれ特徴付ける（例えば、その流入レートを表す）複数のパラメータ値を含む。本方法では次に、選択された分析場所（例えば、人体部分の関心対象領域に係る上記場所に含まれる）に対応する、複数の分析パラメータ値の少なくとも１つの分布の少なくとも１つの統計的指示子（上記パラメータ値に含まれる）を決定する。各統計的指示子は、分析場所によって定義される人体部分の分析領域の状態を示す。本発明の実施形態に係るソリューションでは、少なくとも１つの統計的指示子を決定するステップは、分析パラメータ値の各分布について飽和値を決定することを含む。飽和値は、分析場所（例えば、すべての場所からなる）を少なくとも含む選択された処理場所（上記場所に含まれる）に対応する、処理パラメータ値の順序付けられたシーケンス（上記パラメータ値に含まれる）を、第１の部分集合及び第２の部分集合に分割する。これらの部分集合は、（例えば、パラメトリック画像の累積ヒストグラムにおける）予め定義された自動スケーリング率に従って決定される所定個数の処理パラメータ値からなる。その後、（例えば、自動スケーリングされた画像からなる）自動スケーリングされたマップが生成される。自動スケーリングされたマップは、各処理場所に係る自動スケーリングされた値を含む。自動スケーリングされた値は、対応する処理パラメータ値が第２の部分集合に含まれるのであれば当該対応する処理パラメータ値に等しく、あるいは、対応する処理パラメータ値が第１の部分集合に含まれるのであれば飽和値に等しい。その後、分析場所に対応する自動スケーリングされた値から（例えば、それらのヒストグラム、対応する確率関数、及び／又は、この確率関数に係る１つ又は複数の統計的パラメータを計算することにより）少なくとも１つの統計的指示子が決定される。
【００１２】
本発明の実施形態では、各パラメータ値は、予め投与された造影剤で灌流されている人体部分の対応する場所の灌流を示す。
【００１３】
本発明の実施形態では、第１の部分集合の処理パラメータ値は、飽和値よりも高い（又は等しい）。
【００１４】
本発明の実施形態では、飽和値を決定するステップは、処理パラメータ値の累積ヒストグラムを計算することと、飽和値を、累積ヒストグラムにおける自動スケーリング率に関連付けられた処理パラメータ値に設定することとを含む。
【００１５】
本発明の実施形態では、自動スケーリング率は８０％〜９９．９９％の範囲にある。
【００１６】
本発明の実施形態では、少なくとも１つの統計的指示子を決定するステップは、自動スケーリングされた値を予め定義された正規化範囲に正規化することをさらに含む。
【００１７】
本発明の実施形態では、少なくとも１つの統計的指示子を決定するステップは、分析場所に対応する自動スケーリングされた値のヒストグラムを計算することを含む。
【００１８】
本発明の実施形態では、少なくとも１つの統計的指示子を決定するステップは、ヒストグラムにパラメトリック関数（例えば、対数正規関数）をあてはめることによりヒストグラムの確率関数を計算することをさらに含む。
【００１９】
本発明の実施形態では、少なくとも１つの統計的指示子を決定するステップは、分析場所に対応する分析パラメータ値の分布に係る少なくとも１つの統計的パラメータの値を計算することを含む。
【００２０】
本発明の実施形態では、少なくとも１つの統計的パラメータの値を計算するステップは、少なくとも１つの統計的パラメータの値を確率関数から計算することを含む。
【００２１】
本発明の実施形態では、処理場所はすべての場所からなり、分析場所はそれらの場所の部分集合からなる。
【００２２】
本発明の実施形態では、少なくとも１つの統計的パラメータは、複数の統計的パラメータ（例えば、モード及び標準偏差）である。本発明の実施形態では、本方法は、複数の統計的パラメータの各値の標示物を、各統計的パラメータについて視覚化された次元を有するグラフに表示するステップをさらに含む。
【００２３】
本発明の実施形態では、複数の統計的パラメータに係る各基準範囲からなる少なくとも１つの集合の標示物を格納する知識ベースが（例えば、それを大容量メモリに予めロードすることにより）提供される。基準範囲からなる各集合は、人体部分の、対応する推定された状態を示す。本方法は、基準範囲からなる少なくとも１つの集合を知識ベースから検索するステップと、基準範囲からなる少なくとも１つの集合の表現をグラフに表示するステップとをさらに含む。
【００２４】
本発明の実施形態では、分析場所に対応する分析パラメータ値の少なくとも１つの分布は、選択された合成場所（上記場所に含まれる）にそれぞれ関連付けられた複数の分析場所に対応する分析パラメータ値の複数の分布からなる。各合成場所の分析場所は、分析場所を含む場所の部分集合からなる。本発明の実施形態では、本方法は、合成画像を作成するステップをさらに含む。各合成場所について、合成画像は、対応する少なくとも１つの統計的指示子に基づく合成値を含む。
【００２５】
本発明の実施形態では、各合成場所の分析場所は、合成場所を中心として周囲に設けられた、予め定義された共通個数の場所からなる。
【００２６】
本発明の実施形態では、各合成場所に係る少なくとも１つの統計的指示子は、分析パラメータ値の対応する分布に係る複数の統計的パラメータの各値（例えば、モードの値及び標準偏差の値）である。複数の統計的パラメータに係る各基準範囲からなる少なくとも１つの集合の標示物を格納する知識ベースが提供される。基準範囲からなる各集合は、人体部分の対応する推定された状態を示す。合成画像を作成するステップは、基準範囲からなる少なくとも１つの集合を知識ベースから検索することと、合成場所の統計的パラメータの値と基準範囲からなる少なくとも１つの集合との間で比較することにより各合成場所の合成値を設定することとを含む。
【００２７】
本発明の実施形態では、知識ベースは、基準範囲からなる各集合に係る異なる基準値の標示物を格納するようにさらに適合化される。合成画像を作成するステップは、少なくとも１つの基準値を知識ベースから検索することと、各合成場所の合成値を、合成場所の各統計的パラメータの値を含む基準範囲からなる集合の基準値に設定する、さもなければデフォルト値に設定することとを含む。
【００２８】
本発明の実施形態では、合成場所はすべての場所からなる。
【００２９】
本発明の異なる態様では、データ処理システム（例えばコンピュータ）上で実行されたときに、上述のデータ処理方法のステップを当該データ処理システムに実行させるコード手段を含むコンピュータプログラムを提案する。
【００３０】
本発明の別の態様では、上述のデータ処理方法のステップを実行するように特に構成された手段を含む、（例えば超音波スキャナに基づいた）対応する診断システムを提案する。
【００３１】
本発明の実施形態に係るソリューションの他の態様では、この診断システムを構成する構成方法を提案する。本構成方法は、異なるスキャナ及び／又は異なるスキャナ設定を用いて取得された複数のサンプルパラメトリックマップを提供するステップで開始する。各サンプルパラメトリックマップは、サンプル人体部分（上記人体部分に対応する）の対応するサンプル場所をそれぞれ特徴付ける複数のサンプルパラメータ値を含む。本方法では、続いて、サンプルパラメトリックマップに従って自動スケーリング率を決定する。
【００３２】
本発明の実施形態では、サンプルパラメトリックマップは、サンプル人体部分に係る異なる推定された状態にそれぞれ関連付けられた、サンプルパラメトリックマップからなる複数の部分集合を含む。本方法は、各サンプルパラメトリックマップに係るサンプル飽和値を決定するステップをさらに含む。サンプル飽和値は、サンプルパラメトリックマップのサンプルパラメータ値の順序付けられたシーケンスを、自動スケーリング率に従って決定される所定個数のサンプルパラメータ値からなる第１のサンプル部分集合及び第２のサンプル部分集合に分割する。その後、複数の自動スケーリングされたサンプルマップが、対応するサンプルパラメトリックマップからそれぞれ生成される。自動スケーリングされたサンプルマップは、サンプル人体部分の各サンプル場所について、自動スケーリングされたサンプル値を含む。自動スケーリングされたサンプル値は、サンプルパラメトリックマップの対応するサンプルパラメータ値が第２のサンプル部分集合に含まれるのであれば当該サンプルパラメータ値に等しく、あるいは、サンプルパラメトリックマップの対応するサンプルパラメータ値が第１のサンプル部分集合に含まれるのであればサンプル飽和値に等しい。本方法では、続いて、各自動スケーリングされたサンプルマップの、自動スケーリングされたサンプル値の分布に係る複数のサンプル統計的パラメータ値を（例えば、上述のように、それらのヒストグラム及び確率関数を計算することにより）計算する。ここで、各推定された状態の基準範囲からなる集合を、サンプルパラメトリックマップの対応する部分集合のサンプル統計的パラメータ値から計算することが可能になる。
【００３３】
本発明の実施形態では、本方法は、推定された状態の区別を最適化するように複数のサンプル統計的パラメータ又はそれらの組み合わせから統計的パラメータを選択するステップをさらに含む。
【００３４】
本発明の異なる態様では、データ処理システム（例えばコンピュータ）上で実行されたときに、上述の構成方法のステップを当該データ処理システムに実行させるコード手段を含むコンピュータプログラムを提案する。
【００３５】
本発明の別の態様では、コンピュータプログラムを具現する非一時的なコンピュータ可読媒体を含むコンピュータプログラム製品を提案する。本コンピュータプログラムは、データ処理システムの作業メモリに直接にロード可能なコード手段を含み、これにより上述のデータ処理方法及び／又は構成方法のステップを実行するデータ処理システムを構成する。
【００３６】
本発明の異なる態様では、患者の人体部分を分析する診断方法を提案する。本診断方法は、患者に造影剤を投与するステップを含む。次いで、人体部分に呼びかけ信号が向けられる。本方法では、続いて、（人体部分の対応する場所に係る呼びかけ信号に対する応答をそれぞれ示す複数の入力値をそれぞれ含む）複数の入力マップからなるシーケンスを取得することを含む。ここで、各場所の入力値からなるシーケンスにパラメトリック関数が関連付けられる。人体部分の対応する場所をそれぞれ特徴付ける複数のパラメータ値を含むパラメトリックマップが、対応するパラメトリック関数に従って各パラメータ値を設定することにより計算される。パラメトリックマップを上述のデータ処理方法に従って処理することで、少なくとも１つの分析領域の少なくとも１つの統計的指示子を取得する。このとき、少なくとも１つの分析領域の少なくとも１つの統計的指示子に従って人体部分の状態が評価される。
【図面の簡単な説明】
【００３７】
【図１】本発明の実施形態に係るソリューションを適用可能な診断システムを示す図である。
【図２Ａ】本発明の実施形態に係る自動スケーリングの例を示す図である。
【図２Ｂ】本発明の実施形態に係る自動スケーリングの例を示す図である。
【図２Ｃ】本発明の実施形態に係る自動スケーリングの例を示す図である。
【図２Ｄ】本発明の実施形態に係る自動スケーリングの例を示す図である。
【図２Ｅ】本発明の実施形態に係る自動スケーリングの例を示す図である。
【図３Ａ】本発明の他の実施形態に係る自動スケーリングの例を示す図である。
【図３Ｂ】本発明の他の実施形態に係る自動スケーリングの例を示す図である。
【図３Ｃ】本発明の他の実施形態に係る自動スケーリングの例を示す図である。
【図４Ａ】本発明の実施形態に係るソリューションを生体内に適用した例を示す図である。
【図４Ｂ】本発明の実施形態に係るソリューションを生体内に適用した例を示す図である。
【図４Ｃ】本発明の実施形態に係るソリューションを生体内に適用した例を示す図である。
【図４Ｄ】本発明の実施形態に係るソリューションを生体内に適用した例を示す図である。
【図４Ｅ】本発明の実施形態に係るソリューションを生体内に適用した例を示す図である。
【図４Ｆ】本発明の実施形態に係るソリューションを生体内に適用した例を示す図である。
【図４Ｇ】本発明の実施形態に係るソリューションを生体内に適用した例を示す図である。
【図４Ｈ】本発明の実施形態に係るソリューションを生体内に適用した例を示す図である。
【図５Ａ】本発明の実施形態に係る統計的分析の例を示す図である。
【図５Ｂ】本発明の実施形態に係る統計的分析の例を示す図である。
【図５Ｃ】本発明の実施形態に係る統計的分析の例を示す図である。
【図５Ｄ】本発明の実施形態に係る統計的分析の例を示す図である。
【図５Ｅ】本発明の実施形態に係る統計的分析の例を示す図である。
【図６Ａ】本発明の実施形態に係る統計的分析の適用例を示す図である。
【図６Ｂ】本発明の実施形態に係る統計的分析の適用例を示す図である。
【図７Ａ】本発明の実施形態に係るソリューションを実装するために使用可能な主要構成要素の役割を表す図である。
【図７Ｂ】本発明の他の実施形態に係るソリューションを実装するために使用可能な主要構成要素の役割を表す図である。
【図８】本発明の実施形態に係るシステムを構成するために使用可能な処理に関連する動作フローを示す図である。
【発明を実施するための形態】
【００３８】
添付の図面と関連して以下の詳細な説明を非限定的な例示としてのみ参照することにより、本発明の実施形態に係るソリューションが他の特徴及びその利点とともに理解されるであろう（ここで、対応する構成要素を同一又は同様の符号で示し、説明の簡単化のために、繰り返しての説明は行わない）。
【００３９】
特に図１を参照すると、超音波スキャナ１００を備えた診断システム（すなわち、医療用イメージングシステム）が図示されている。スキャナ１００は、本発明の実施形態に係るソリューションで患者１０３の人体部分１０２を分析するために使用されてもよい。超音波スキャナ１００は、中央装置１０５と、ハンドヘルド型の（例えばアレー型の）送受信イメージングプローブ１１０とを含む。イメージングプローブ１１０は、（例えば、１〜５０ＭＨｚの間の中心周波数を有する）複数のパルスからなるシーケンスを含む超音波を送信し、人体部分１０２による超音波パルスの反射から得られる無線周波（ＲＦ）エコー信号を受信する。この目的のために、イメージングプローブ１１０には送受信マルチプレクサが設けられ、これにより、イメージングプローブ１１０を上述のパルス−エコーのモードで使用できるようになる。
【００４０】
中央装置１０５はマザーボード１１５を収容し、マザーボード１１５上に、超音波スキャナ１００の動作を制御する電子回路（例えば、マイクロプロセッサ、作業メモリ、及びハードディスクドライブ）が設けられる。さらに、マザーボード１１５には、１つ以上のドーターボード（その全体を１２０で示す）が接続される。ドーターボード１２０は、イメージングプローブ１１０を駆動するための、また、受信されたエコー信号を処理するための電子回路を提供する。超音波スキャナ１００には、リムーバブルディスク１３０（ＣＤ又はＤＶＤなど）にアクセスするためのドライブ１２５を設けることもできる。モニタ１３５は、進行中の分析処理に関連する画像を表示する。超音波スキャナ１００の動作はキーボード１４０によって制御され、キーボード１４０は従来の方法で中央装置１０５に接続される。好ましくは、キーボード１４０には、モニタ１３５の画面上のポインタ（図示せず）の位置を操作するために使用されるトラックボール１４５が設けられる。
【００４１】
人体部分１０２の分析を行う間に、（有効な超音波反射物として作用する）造影剤が患者１０３に投与される。例えば、造影剤は、液体キャリア中のガス気泡の懸濁液を含む。典型的には、ガス気泡は、患者の毛細血管を通過できるようにするために、０．１〜５μｍのオーダーの直径を有する。一般的に、ガス気泡は、乳化剤、油、シックナー、砂糖、タンパク質、又はポリマーを含むさまざまな系にガス又はその前駆物質を混入又はカプセル化させることにより安定化される。一般的に、安定化されたガス気泡は、ガス充填微小水泡と呼ばれる。微小水泡は、水媒体中に分散したガス気泡を含み、ガス／液体の界面において、界面活性剤、すなわち両親媒性材料を伴う非常に薄い膜の境界を有する（微小気泡としても知られる）。それに代わって、微小水泡は、脂質によって、又は天然もしくは合成のポリマーによって形成された固体材料の膜によって包囲されたガス気泡を含む（微小バルーン又は微小カプセルとしても知られる）。他の種類の造影剤は、微小粒子の孔内に設けられたガス気泡を有する、ポリマー又は他の固体からなる多孔性微小粒子の懸濁液を含む。微小水泡、特に微小気泡及び微小バルーンの適切な水性懸濁液と、その調整の例が、特許文献１〜５（それらの開示内容の全体は参照によってここに組み込まれる）で説明されている。ガス充填微小水泡を含む市販の造影剤の例として、ブラッコ・インターナショナル・ＢＶ（Bracco International BV）のＳｏｎｏＶｕｅ（登録商標）がある。
【００４２】
好ましくは、静脈内ボーラスとして造影剤が患者１０３に投与される。すなわち、１回の投与が、（２〜２０秒のオーダーの）短い時間期間にわたって注射器を用いて手で行われる。造影剤は、人体部分１０２を灌流するように、患者１０３の血管系内で循環する。それと同時に、イメージングプローブ１１０は、人体部分１０２のエリアにおいて患者１０３の皮膚と接触するように配置される。造影剤の破壊が無視できる程度（例えば、連続する超音波パルス間におけるその局所的濃度が５％未満、好ましくは１％未満）になるように、小さな音響エネルギー（例えば、メカニカルインデックス（ＭＩ）＝０.０１〜０.１）を有する一連の超音波パルスを人体部分１０２に適用する。選択された走査平面における人体部分１０２の各場所について、所定時間期間にわたる複数の捕捉時間における対応する超音波パルス（例えば、毎秒１０〜３０回の捕捉を行うレート）に応答して記録された複数のエコー信号からなるシーケンスにより、分析処理を行う間に、人体部分の当該場所の表現がそのスライスとしてもたらされる。エコー信号は、造影剤（存在する場合）及び周囲の組織によって生成された異なる寄与の重ね合わせからもたらされる。好ましくは、超音波スキャナ１００は、造影剤の（非線形の）寄与に関して、エコー信号における組織の支配的な（線形の）寄与を実質的に除去する、又は少なくとも低下させるように、コントラスト特異のイメージングモードで動作する。コントラスト特異のイメージングモードの例は、例えば非特許文献５（その開示内容の全体は参照によってここに組み込まれる）で説明されるように、ハーモニックイメージング（harmonic imaging：ＨＩ）、パルスインバージョン（pulse inversion：ＰＩ）、パワーモジュレーション（power modulation：ＰＭ）、及びコントラストパルスシーケンシング（contrast pulse sequencing：ＣＰＳ）技術を含む。
【００４３】
次いで、記録されたエコー信号から、１つ以上のパラメトリック画像が生成される。各パラメトリック画像は、可視化要素、すなわち基本的画像要素（画素）のそれぞれの値（単に「画素値」という）からなる、（例えば、Ｍ＝５１２個の行及びＮ＝５１２個の列を有する）行列によって定義される。各画素は、人体部分１０２における１つの場所に対応する。各画素は、人体部分の場所についてエコー信号の対応するシーケンスから計算される灌流パラメータの値（単に「灌流パラメータ値」という）を表し、例えば、その流入レートの値（単に「流入レート値」という）を表す。
【００４４】
例えば、特許文献６（その開示内容の全体は参照によってここに組み込まれる）で説明されるように、複数のパラメトリック画像からなるシーケンスがリアルタイムで生成されてもよい。簡単にいうと、複数のエコー信号からなる各シーケンスは、最大値投影（Maximum Intensity Projection：ＭＩＰ）アルゴリズムを適用することによってフィルタリングされ、エコー信号は所定時間にわたるそれらの最大値に保持される。次いで、フィルタリングされた複数のエコー信号からなるシーケンスは、（フィルタリングされたエコー信号が、予め定義された安定性時間ウィンドウにわたって一定になるとすぐに）そのピークを検出するためにモニタリングされる。このとき、人体部分の対応する場所に係る流入レート値は、フィルタリングされたエコー信号のピークの値と、流入の継続時間（ピークの瞬間と造影剤の到着の瞬間との差として決定される）との比として計算することができる。次いで、人体部分のその場所に係る流入レート値を各画素に割り当てることにより、パラメトリック画像が生成される。
【００４５】
図２Ａを参照すると、一般的なパラメトリック画像（２０５で示す）が図示されている。ここでは、パラメトリック画像２０５における空間的座標ｘ，ｙ（それぞれ、行の番号及び列の番号）によって識別される画素の流入レート値ＷＲ（ｘ，ｙ）に関して図示し、以下、これを単に「ＷＲ」という。このようなパラメトリック画像は、人体部分の選択された関心対象領域２１０について統計的分析を行うために使用されてもよい。
【００４６】
この目的のために、図２Ｂに示すように、関心対象領域の内側の画素に係る流入レート値ＷＲについてヒストグラムが計算される。詳しくは、複数の流入レート値ＷＲからなる順序付けられたシーケンス（最小値ＷＲｍｉｎ＝０から最大値ＷＲｍａｘ＝１７までの範囲にわたる）は、互いに重なりあわずに隣接した、予め定義された個数のビン（例えば、１〜５の間の幅をそれぞれ有する）に分割される。関心対象領域における各画素は、その流入レート値ＷＲを含むビンに割り当てられる。次いで、各ビンは、関心対象領域２１０のサイズから独立になるようにビンのカウント値を関心対象領域２１０全体における合計カウント値で除算することによって定義された、流入レート値ＷＲの相対頻度に関連付けられる。ヒストグラムを概してグラフ２１５ｏで表す。これは、ビンを横軸にプロットし、相対頻度を縦軸にプロットしている。各ビンをバーで表し、バーはその相対頻度に比例する高さを有する。すべてのバーの相対頻度の合計は常に１に等しい。そして、ヒストグラム（同じ符号２１５ｏで示す）は、関心対象領域における流入レート値ＷＲの分布を表す。
【００４７】
好ましくは、次に、流入レート値ＷＲの確率関数Ｆ（ＷＲ）がヒストグラム２１５ｏに関連付けられる。例えば、これは、ヒストグラム２１５ｏに対して、対数正規関数ｌｏｇｎ（ＷＲ）（すなわち、独立変数ＷＲの自然対数の正規確率関数）、すなわち次式をあてはめる（フィッティングを行う）ことにより達成される。
【００４８】
【数１】
0005593382.tif 000002
【００４９】
ここで、（フィッティング）パラメータｍ及びｓはそれぞれ、変数ｌｎ（ＷＲ）の分布の平均及び標準偏差であり、ＷＲｗｉｄｔｈはビンの幅である。さらに詳しくは、確率関数Ｆ（ＷＲ）は、そのフィッティングパラメータｍ及びｓの対応する値（単に「フィッティングパラメータ値」ｍ及びｓという）によって定義される、対数正規関数ｌｏｇｎ（ＷＲ）の実際のインスタンスからなる。これは、ヒストグラム２１５ｏの最良のあてはめをもたらすパラメータ値ｍ及びｓを選択する最適化処理によって決定される。確率関数Ｆ（ＷＲ）は、ヒストグラム２１５ｏを近似する曲線２２０ｏで表される。次いで、確率関数Ｆ（ＷＲ）（同じ符号２２０ｏで示す）は、分析を容易化するように、関心対象領域における流入レート値ＷＲの分布を平滑化する。さらに、このとき、分析の正確さを向上するように、ヒストグラム２１５ｏの任意に多数のビンを維持できるようになる（これに対応して増大するノイズは、上述の平滑化によるフィルタリングで除去される）。
【００５０】
ここで図２Ｃを参照すると、本発明の実施形態に係るソリューションでは、パラメトリック画像は、ヒストグラムの計算前に自動スケーリングされる。この目的のために、パラメトリック画像における全画素の流入レート値ＷＲについて、累積ヒストグラムが計算される。この場合、各ビンは、当該ビン以下のすべてのビンにわたる流入レート値ＷＲの累積相対頻度に関連付けられている。累積ヒストグラムも同様に、ビンを横軸にプロットし、累積相対頻度（％で表す）を縦軸にプロットしたグラフ２２５で表す（このとき、各バーの高さはその累積相対頻度に比例し、最後のバーで１００％に等しい累積相対頻度を有する）。累積ヒストグラム（同じ符号２２５で示す）は、流入レート値ＷＲに係る飽和値ＷＲｓａｔを決定するために使用される。飽和値ＷＲｓａｔは、累積ヒストグラム２２５における累積相対頻度の予め定義された自動スケーリング率Ｐｓに関連付けられた流入レート値ＷＲに等しい。自動スケーリング率Ｐｓは、好ましくは８０％〜９９．９９％の間の値に設定され、さらに好ましくは９０％〜９９．９％の間の値に（例えば、９５％に等しく）設定される。例えば、図面では、飽和値は、（少なくとも自動スケーリング率Ｐｓに等しい、すなわちその値の水平線と交差する累積相対頻度を有する最後のビンの中央の流入レート値ＷＲによって決定されて）ＷＲｓａｔ＝８．５になる。
【００５１】
次いで、パラメトリック画像は、飽和値ＷＲｓａｔよりも高いすべての流入レート値ＷＲを飽和値ＷＲｓａｔに等しく設定することによって、自動スケーリングされる。従って、図２Ｄに示すように、（自動スケーリングされた）パラメトリック画像の同じ関心対象領域に係るヒストグラム２１５ａは、飽和値ＷＲｓａｔにクリッピングされ、飽和値ＷＲｓａｔにおいて（自動スケーリング率Ｐｓに対応する）相対頻度のピークを導入する。上述のように、次いで、確率関数２２０ａはヒストグラム２１５ａに関連付けられる。
【００５２】
図２Ｅを参照すると、流入レート値ＷＲは、（必要であれば）正規化範囲に正規化される。特に、（元の）最小値ＷＲｍｉｎから飽和値ＷＲｓａｔの範囲にわたる各（元の）流入レート値ＷＲは、正規化された最小値ＷＲｍｉｎ（ｎ）から正規化された最大値ＷＲｍａｘ（ｎ）までの範囲（例えば、０から１まで）にわたる次式の正規化された値で置き換えられる。
【００５３】
【数２】
0005593382.tif 000003
【００５４】
そして、（ＷＲｍｉｎ＝ＷＲｍｉｎ（ｎ）＝０であるとき）、次式によって与えられる。
【００５５】
【数３】
0005593382.tif 000004
【００５６】
こうして、（自動スケーリングされかつ正規化されたパラメトリック画像の同じ関心対象領域について）確率関数２２０ｎに関連付けられたヒストグラム２１５ｎが得られる。
【００５７】
パラメトリック画像の自動スケーリング（及びオプションの正規化）は、その任意の関心対象領域から得られたヒストグラムの等化を、従って対応する確率関数の等化を効果的にもたらす。本願の発明者らは、パラメトリック画像を生成するために使用される超音波スキャナに対する依存性（及び、利得など、その設定に対する依存性）がこの等化を行うことによって大幅に低減されるということは、驚くべきことであると考える。従って、ここで、確率関数を用いて、（絶対的定量的評価をもたらすように）超音波スキャナ及びその設定とは実質的に独立な統計的分析を実行することができる。こうして、異なる超音波スキャナ又はその設定を用いている研究者らの間で、得られた結果を比較することができる。
【００５８】
この結果が完全に動的な方法で達成されるということを強調する。実際に、飽和値ＷＲｓａｔは先験的に固定されたものではなく、各パラメトリック画像について、自動スケーリング率Ｐｓに従って（その実際の流入レート値ＷＲに依存するように）再計算される。
【００５９】
例えば、図３Ａは、上述したものと同じ関心対象領域について他のパラメトリック画像（図示せず）から得られたヒストグラム３１５ｏ及び対応する確率関数３２０ｏを示す。この場合、パラメトリック画像は、より低感度の超音波スキャナを用いて、又は、より低い利得に設定された同じ超音波スキャナを用いて生成されている。従って、流入レート値ＷＲは低くなり、このため、ヒストグラム３１５ｏ及び確率関数３２０ｏは上述のもの（図２Ｂを参照）とはまったく異なったものになる。特に、流入レート値ＷＲのピーク位置は左に（すなわち、より低い流入レート値ＷＲに向かって）シフトし、流入レート値ＷＲはより狭くなっている（すなわち、流入レート値ＷＲの変動が小さくなり、上述の場合と同じ最小値ＷＲｍｉｎ’＝０から、上述の場合の最大値ＷＲｍａｘ＝１７よりずっと小さい最大値ＷＲｍａｘ’＝９までの範囲を有する）。
【００６０】
従って、図３Ｂに示すように、このとき、同じ自動スケーリング率Ｐｓ＝９５％について、対応する累積ヒストグラム３２５から決定される飽和値ＷＲｓａｔ’は、上述の場合より小さくなる（すなわち、ＷＲｓａｔ＝８．５ではなくＷＲｓａｔ’＝４．３）。
【００６１】
ここで図３Ｃを参照すると、このときパラメトリック画像からその自動スケーリング（この飽和値ＷＲｓａｔ’に従って行われる）及び正規化の後で取得されるヒストグラム３１５ｎ及び対応する確率関数３２０ｎ（同じ正規化された最小値ＷＲｍｉｎ（ｎ）から同じ正規化された最大値ＷＲｍａｘ（ｎ）までの範囲を有する）は、右に（すなわち、より高い流入レート値ＷＲに向かって）シフトしたピークを有し、より広くなっている（すなわち、その流入レート値ＷＲの変動が大きくなっている）。結果として、ヒストグラム３１５ｎ及び確率関数３２０ｎは、上述のもの（図２Ｅを参照）と実質的に同じになる。
【００６２】
図４Ａ〜図４Ｈにおいて、上述の技術を生体内に適用した場合の異なる例を示す。特に図４Ａを考慮すると、（正常な組織を有する）健康な前立腺のパラメトリック画像４０５が示されている。パラメトリック画像４０５において、４つの関心対象領域が選択される。特に、関心対象領域４１０ｐｌ及び関心対象領域４１０ｐｒはそれぞれ、前立腺の左右の辺縁領域（Peripheral Zone：ＰＺ）について選択され、関心対象領域４１０ｔｌ及び関心対象領域４１０ｔｒはそれぞれ、前立腺の左右の移行領域（Transitional Zone：ＴＺ）について選択される。パラメトリック画像４０５は自動スケーリングされかつ正規化され、関心対象領域４１０ｐｌ、４１０ｐｒ、４１０ｔｌ、及び４１０ｔｒについて４つのヒストグラム（図示せず）が計算される。
【００６３】
図４Ｂを参照すると、次いで、これらのヒストグラムから曲線をあてはめることにより、左ＰＺについて確率関数４２０ｐｌを取得し、右ＰＺについて確率関数４２０ｐｒを取得し、左ＴＺについて確率関数４２０ｔｌを取得し、右ＴＺについて確率関数４２０ｔｒを取得するように、４つの確率関数が決定される。図面からみてとれるように、前立腺の両側におけるＰＺについての２つの確率関数４２０ｐｌ及び４２０ｐｒは、非常に類似したものであり、ほとんど重なりあい、前立腺の両側におけるＴＺについての２つの確率関数４２０ｔｌ及び４２０ｔｒもまた、非常に類似したものであり、ほとんど重なりあっている。逆に、（それぞれＰＺ及びＴＺに係る）確率関数４２０ｐｌ、４２０ｐｒ及び確率関数４２０ｔｌ、４２０ｔｒは、大幅に異なっている。
【００６４】
ここで図４Ｃを参照すると、病的状態にある前立腺のパラメトリック画像４０５'が示されている。パラメトリック画像４０５'において３つの関心対象領域が選択される。特に、関心対象領域４１０ｐｒ’は、前立腺癌（Prostate Cancer：ＰＣａ）を含む悪性の病変を含む右ＰＺにおいて選択され、関心対象領域４１０ｐｌ’及び関心対象領域４１０ｔｒ’はそれぞれ、正常な組織を含む左ＰＺ及び右ＴＺにおいて選択される。パラメトリック画像４０５'は自動スケーリングされかつ正規化され、関心対象領域４１０ｐｒ’、４１０ｐｌ’、及び４１０ｔｒ’について３つのヒストグラム（図示せず）が計算される。
【００６５】
図４Ｄを参照すると、次いで、これらのヒストグラムから曲線をあてはめることにより、右ＰＺについて確率関数４２０ｐｒ’を取得し、左ＰＺについて確率関数４２０ｐｌ’を取得し、右ＴＺについて確率関数４２０ｔｒ’を取得するように、３つの確率関数が決定される。図面からみてとれるように、（それぞれＰＺ及びＴＺにおける正常な組織に係る）確率関数４２０ｐｌ’及び４２０ｔｒ’は、健康な前立腺における同じゾーンから得られる対応する確率関数（図４Ｂに示した確率関数であり、また、右上のコーナーに挿入して再掲する）に非常に類似している。逆に、ＰＣａについての確率関数４２０ｐｒ’は、図４Ｂにおいて健康な前立腺における同じゾーンから得られたもの（正常な組織を表す）と比較して非常に異なった形状を有する。特に、確率関数４２０ｐｒ’のピークはより小さい値を有し、ピーク位置は右にシフトし、確率関数４２０ｐｒ’はより広くなっている。従って、確率関数４２０ｐｒ’の分析に基づいて、ＰＺにおける対応する悪性の病変は、ＰＺにおける正常な組織から容易に区別することができる。
【００６６】
図４Ｅを考慮すると、他の病的状態にある前立腺のパラメトリック画像４０５’’が示されている。パラメトリック画像４０５’’において、３つの関心対象領域が選択される。特に、関心対象領域４１０ｔｌ’’は、腺腫（前立腺肥大症、Benign Prostate Hyperplasia：ＢＰＨ）を含む良性の病変を含む左ＴＺにおいて選択される。関心対象領域４１０ｐｌ’’及び関心対象領域４１０ｔｒ’’はそれぞれ、正常な組織を含む左ＰＺ及び右ＴＺにおいて選択される。パラメトリック画像４０５’’は自動スケーリング関心対象領域４１０ｔｌ’’、４１０ｐｌ’’、及び４１０ｔｒ’’されかつ正規化され、について３つのヒストグラム（図示せず）が選択される。
【００６７】
図４Ｆを参照すると、次いで、これらのヒストグラムから曲線をあてはめることにより、左ＴＺについて確率関数４２０ｔｌ’’を取得し、左ＰＺについて確率関数４２０ｐｌ’’を取得し、右ＴＺについて確率関数４２０ｔｒ’’を取得するように、３つの確率関数が決定される。図面からみてとれるように、（正常な組織についての）確率関数４２０ｐｌ’’及び４２０ｔｒ’’もまた、健康な前立腺における同じゾーンから得られる対応する確率関数（図４Ｂに示した確率関数であり、また、右上のコーナーに挿入して再掲する）に非常に類似している。逆に、ＢＰＨについての確率関数４２０ｔｌ’’は、図４Ｂにおいて健康な前立腺における同じゾーンから得られたもの（正常な組織を表す）と比較して非常に異なった形状を有する。特に、確率関数４２０ｔｌ’’のピーク位置は左にシフトし、確率関数４２０ｔｌ’’はより広くなっている。従って、確率関数４２０ｔｌ’’の分析に基づいて、ＴＺにおける対応する良性の病変は、ＴＺにおける正常な組織から容易に区別することができる。それと同時に、ＢＰＨについての確率関数４２０ｔｌ’’は、図４ＤのＰＣａについての確率関数からも異なっている（なぜならば、後者はより右方に曲がっている）。このような相違を、ＴＺにおける病変の特徴付け、すなわち、悪性の病変から良性の病変を区別することに使用可能である。
【００６８】
最後に、図４Ｇを考慮すると、異なる病的状態における前立腺のパラメトリック画像４０５’’’が示されている。パラメトリック画像４０５’’’において３つの関心対象領域が選択される。特に、関心対象領域４１０ｐｌ’’’及び関心対象領域４１０ｐｒ’’’はそれぞれ、前立腺炎を含む良性の病変を含む左ＰＺ及び右ＰＺにおいて選択される。代わりに、関心対象領域４１０ｐｃ’’’は、正常な組織を含む中央のＰＺにおいて選択される。パラメトリック画像４０５’’’は自動スケーリングされかつ正規化され、関心対象領域４１０ｐｌ’’’、４１０ｐｒ’’’、及び４１０ｐｃ’’’について３つのヒストグラム（図示せず）が計算される。
【００６９】
図４Ｈを参照すると、次いで、これらのヒストグラムから曲線をあてはめることにより、左ＰＺについて確率関数４２０ｐｌ’’’を取得し、右ＰＺについて確率関数４２０ｐｒ’’’を取得し、中央のＰＺについて確率関数４２０ｐｃ’’’を取得するように、３つの確率関数が決定される。図面からみてとれるように、（正常な組織についての）確率関数４２０ｐｃ’’’もまた、健康な前立腺から得られる対応する確率関数（図４Ｂに示した確率関数であり、また、右上のコーナーに挿入して再掲する）に非常に類似している。逆に、前立腺炎についての確率関数４２０ｐｌ’’’及び４２０ｐｒ’’’は、確率関数４２０ｐｃ’’’と比較して非常に異なった形状を有する。従って、確率関数４２０ｐｌ’’’及び４２０ｐｒ’’’’の分析に基づいて、ＰＺにおける対応する良性の病変は、ＰＺにおける正常な組織から容易に区別することができる。それと同時に、前立腺炎についての確率関数４２０ｐｌ’’’及び４２０ｐｒ’’’’は、図４ＤのＰＣａについての確率関数からも異なっている。この場合もまた、このような相違を、ＰＺにおける病変の特徴付け（悪性の病変から良性の病変を区別すること）に使用可能である。
【００７０】
ここに提案する（パラメトリック画像を生成するために使用される超音波スキャナ、又はその設定に無関係に、確率関数に係る上述の定性的比較を可能にする）ソリューションは、医師の仕事を大幅に容易化する。
【００７１】
各確率関数は、対応する関心対象領域における流入レート値ＷＲの分布の（定量的な）統計的分析を行うことにも使用可能である。この目的のために、確率関数Ｆ（ＷＲ）の異なる複数の統計的パラメータの各値（単に「統計的パラメータ値」という）を計算することができる。このような統計的パラメータの例は、平均ｍｅａｎ（ＷＲ）（流入レート値ＷＲの分布の重心を表す）、モードｍｏｄ（ＷＲ）（確率関数Ｆ（ＷＲ）のピークにおける流入レート値ＷＲ、すなわち、最も発生頻度が高い流入レート値ＷＲを表す）、メジアンｍｅｄ（ＷＲ）（流入レートＷＲの中央値、すなわち、当該流入レート値ＷＲより大きな流入レート値ＷＲの個数と小さな流入レート値ＷＲの個数とが等しくなるような流入レート値ＷＲを表す）、標準偏差σ（ＷＲ）（流入レート値ＷＲの平均の周りにおける流入レート値ＷＲの変わりやすさ又はばらつきを表す）、及び、歪みγ（ＷＲ）（流入レート値ＷＲの分布の非対称性を表す）である。これらの統計的パラメータ値は、確率関数Ｆ（ＷＲ）のフィッティングパラメータ値ｍ及びｓから次式により計算することができる。
【００７２】
【数４】
0005593382.tif 000005
【数５】
0005593382.tif 000006
【数６】
0005593382.tif 000007
【数７】
0005593382.tif 000008
【数８】
0005593382.tif 000009
【００７３】
これらの統計的パラメータ値は、分析対象の人体部分の関心対象領域における病的状態を同定するために有用である。特に、それらによって、病変から正常な組織を区別し、良性の病変から悪性の病変を区別できるようになる。さらに、人体部分の同じ関心対象領域における同じ統計的パラメータを所定期間にわたって連続的に測定することによって、病的状態の進展又は治療に対する反応をモニタリングできるようにもなる。このことは、医師の仕事をさらに容易化する。
【００７４】
本発明の実施形態では、２つ以上の統計的パラメータの組み合わせ（モードｍｏｄ（ＷＲ）及び標準偏差σ（ＷＲ）など）が使用される。例えば、２３人の患者が、異なる複数の超音波スキャナで分析された。より具体的には、１８人の患者がＰｈｉｌｉｐｓ  ｉＵ２２で分析され、４人の患者がＳｉｅｍｅｎｓ  Ｓｅｑｕｏｉａで分析され、１人の患者がＴｏｓｈｉｂａ  Ａｐｌｉｏで分析された。各患者について、当該患者の前立腺のパラメトリック画像が生成された（さらに、自動スケーリングされかつ正規化された）。これらのパラメトリック画像における８３個の関心対象領域について、対応するヒストグラム及び確率関数Ｆ（ＷＲ）が決定された。これらの関心対象領域は、異なる複数のカテゴリーの人体部分、又はそれらの（位置及び／又は状態によって定義された）ゾーンに属する。特に、確率関数は、ＰＺにおいて、正常な組織を含む２６個の関心対象領域について決定され、前立腺炎を含む２つの関心対象領域について決定され、ＰＣａを含む３１個の関心対象領域について決定され、さらに、確率関数は、ＴＺにおいて、正常な組織を含む２１個の関心対象領域について決定され。ＢＰＨを含む２つの関心対象領域について決定された。各確率関数Ｆ（ＷＲ）について、モードｍｏｄ（ＷＲ）及び標準偏差σ（ＷＲ）の対応する値（単に「モード値」ｍｏｄ（ＷＲ）及び「標準偏差値」σ（ＷＲ）という）が計算された。
【００７５】
ＰＺについて図５Ａに示し、ＴＺについて図５Ｂに示すように、統計的パラメータ値ｍｏｄ（ＷＲ）及びσ（ＷＲ）をそれぞれ、２Ｄのグラフ５００ｐ及び５００ｔで表し、ここで、モードｍｏｄ（ＷＲ）を横軸にプロットし、標準偏差σ（ＷＲ）を縦軸にプロットしている。この目的のために、各確率関数Ｆ（ＷＲ）に対して、モード値ｍｏｄ（ＷＲ）を横軸の座標に有しかつ標準偏差値σ（ＷＲ）を縦軸の座標に有する、結合された点ＣＰ（ｍｏｄ（ＷＲ），σ（ＷＲ））が関連付けられる。
【００７６】
図面からみてとれるように、各カテゴリーの人体部分に係る結合された点ＣＰは、グラフ５００ｐ及び５００ｔの別個の領域に属する。特に、図５Ａにおいて、ＰＺに係る結合された点ＣＰは、正常な組織について符号ＣＰ（ＰＺ−Ｎｏｒ）で示し（黒）、ＰＣａについて符号ＣＰ（ＰＺ−ＰＣａ）で示し（濃いグレー）、前立腺炎について符号ＣＰ（ＰＺ−Ｐｒｏ）で示す（淡いグレー）。同様に、図５Ｂにおいて、ＴＺに係る結合された点ＣＰは、正常な組織について符号ＣＰ（ＴＺ−Ｎｏｒ）で示し（非常に淡いグレー）、ＢＰＨについて符号ＣＰ（ＴＺ−ＰＢＨ）で示す（白）。
【００７７】
より形式的には、各カテゴリーの人体部分について、モード値ｍｏｄ（ＷＲ）及び標準偏差値σ（ＷＲ）の分布の重心をそれぞれ表す２つの平均値ｍｅａｎ（ｍｏｄ）及びｍｅａｎ（σ）を計算し、平均値の周りにおけるモード値ｍｏｄ（ＷＲ）及び標準偏差値σ（ＷＲ）のばらつきをそれぞれ表す２つの標準偏差値σ（ｍｏｄ）及びσ（σ）を計算することができる。異なる複数のカテゴリーの人体部分に係る（そして特に同じ人体部分における異なる複数の状態に係る）これらの値は、大幅に異なっている。例えば、正常な組織を含むＰＺ及びＰＣａを含むＰＺの間と、正常な組織を含むＰＺ及びＴＺの間との両方で、平均値ｍｅａｎ（ｍｏｄ）及びｍｅａｎ（σ）について統計的に有意な差があり（ｐ＜０．０１）、ＰＣａを含むＰＺ及び正常な組織を含むＴＺの間において、平均値ｍｅａｎ（σ）について統計的に有意な差があった（ｐ＜０．０５）（一方向のＡＮＯＶＡ分析及びポストホックのｔ検定を用いた）。
【００７８】
図５Ｃ及び図５Ｄを参照すると、ＰＺについて他のグラフ５００ｐｃにおいて、また、ＴＺについて他のグラフ５００ｔｃにおいて、異なる複数のカテゴリーの人体部分に注目する（ここでも、モードｍｏｄ（ＷＲ）を横軸にプロットし、標準偏差σ（ＷＲ）を縦軸にプロットしている）。この目的のために、各カテゴリーの人体部分は、横軸の平均値ｍｅａｎ（ｍｏｄ）及び縦軸の平均値ｍｅａｎ（σ）を座標として有する基準点に関連付けられ、さらに、基準点の周りにおいて横軸に沿ってその標準偏差値σ（ｍｏｄ）に等しく広がり、縦軸に沿ってその標準偏差値σ（σ）に等しく広がるように、基準のばらつきに関連付けられる。特に、ＰＺに係る図５Ｃにおいて、正常な組織について基準点ＲＰ（ＰＺ−Ｎｏｒ）及び基準のばらつきＲＲ（ＰＺ−Ｎｏｒ）が取得され、ＰＣについて基準点ＲＰ（ＰＺ−ＰＣａ）及び基準のばらつきＲＲ（ＰＺ−ＰＣａ）が取得され、前立腺炎について基準点ＲＰ（ＰＺ−Ｐｒｏ）が取得される（この場合は、２つの観測量のみが利用可能であるので基準のばらつきは決定されない）。同様に、ＴＺに係る図５Ｄにおいて、正常な組織について基準点ＲＰ（ＴＺ−Ｎｏｒ）及び基準のばらつきＲＲ（ＴＺ−Ｎｏｒ）が取得され、ＢＰＨについて基準点ＲＰ（ＴＺ−ＢＰＨ）が取得される（この場合も、２つの観測量のみが利用可能であるので基準のばらつきは決定されない）。
【００７９】
従って、各カテゴリーの人体部分について基準エリアを定義することができる。基準エリアは、対応する基準点の周りにおいて対応する基準のばらつきに等しいサイズを有して広がる矩形からなる。特にＰＺ（これは、癌の８０％がその中に存在するので、前立腺の分析を行う間に通常考慮されるゾーンである）のみを考慮すると、図５Ｅにおいて、その基準エリアのグラフ５００ｐａが示される。図面からみてとれるように、基準エリアＲＡ（ＰＺ−Ｎｏｒ）は正常な組織について定義され、基準エリアＲＡ（ＰＺ−ＰＣａ）はＰＣａについて定義される。これにより、ＰＺの異なる状態がグラフ５００ｐａにおける別個の領域を定義するということが確実になる。
【００８０】
図６Ａに、本発明の実施形態に係る上述の統計的分析の適用例を示す。特に、一般的な患者の前立腺を分析しなければならないときはいつでも、対応するパラメトリック画像が生成される。次いで、パラメトリック画像は自動スケーリングされかつ正規化される。このパラメトリック画像のＰＺにおける関心対象領域から得られるヒストグラムが計算され、対応する確率関数６１５が決定される。このとき、確率関数６１５のモード値ｍｏｄ（ＷＲ）及び標準偏差値σ（ＷＲ）を計算することができる。
【００８１】
図６Ｂを参照すると、ここで、この確率関数を表し、モード値ｍｏｄ（ＷＲ）及び標準偏差値σ（ＷＲ）によって定義される座標を有する結合された点ＣＰが、先に定義されたグラフ５００ｐａ（分析対象の前立腺のゾーンに対応する）上にプロットされる。（予め定義された）基準エリアＲＡ（ＰＺ−Ｎｏｒ）及びＲＡ（ＰＺ−ＰＣａ）に関する結合された点ＣＰの位置は、分析対象の前立腺の状態の評価を大幅に容易化する。特に、検討している例では、結合された点ＣＰは基準エリアＲＡ（ＰＺ−ＰＣａ）内に位置し、このことは、前立腺が癌におかされている可能性があることを意味する（当然ながら、最終的な診断は、常に医師によって行われなければならない）。
【００８２】
図７Ａに、本発明の実施形態に係るソリューションを実施するために使用可能な主要なソフトウェア及び／又はハードウェア構成要素をともに表す図を示す。これらの構成要素を全体として符号７００ａで示す。特に、情報（プログラム及びデータ）は典型的にはハードディスクに格納され、プログラムが実行されるとき、データ処理システム（例えば、超音波スキャナ又は別個のパーソナルコンピュータ）の作業メモリに（少なくとも部分的に）ロードされる。オペレーティングシステム及び他のアプリケーションプログラム（図示せず）も同様である。プログラムは最初に例えばＤＶＤ-ＲＯＭからハードディスクにインストールされる。より具体的には、図面は、システムの静的構造を（対応する構成要素によって）示し、さらに、その動的ふるまいを（交換される一連のメッセージであって、対応する動作をそれぞれ表し、シンボル「Ａ」を先頭に有するシーケンス番号で示すメッセージによって）示す。
【００８３】
特に、入力モジュール７０３は、イメージングプローブを制御するドライバを含む。例えば、このイメージングプローブのドライバは、送信ビーム形成器と、分析対象の人体部分に適用される複数の超音波パルスを発生する複数のパルス発生器とを備える。次いで、イメージングプローブは、選択された走査平面における人体部分の各場所によって反射されたエコー波形を受信する。結果として得られるアナログＲＦエコー信号は受信プロセッサに供給され、受信プロセッサは、アナログＲＦエコー信号の前置増幅を行い、予備的な時間利得補償（time-gain compensation：ＴＧＣ）を適用する。次いで、アナログＲＦエコー信号は、アナログ／ディジタル変換器（ＡＤＣ）によってディジタル値に変換され、受信ビーム形成器によって、合焦されたビーム信号に合成される。このように取得されたディジタル信号は、好ましくは、別のディジタルアルゴリズム及び他の線形又は非線形信号コンディショナ（例えばビーム形成後ＴＧＣ）を用いて処理される。特に、受信プロセッサは、組織の寄与を抑圧するために、（例えば、上述のＨＩ、ＰＩ、ＰＭ、又はＣＰＳ技術に基づく）コントラスト特異のアルゴリズムを適用する。次いで、ディジタル信号は復調され、（良好なバランスのコントラストを有する画像を得るために）対数圧縮され、ビデオフォーマットに走査変換される。この処理により、（コントラスト特異の）複数のビデオ画像からなるシーケンスが生成され、画像は対応するリポジトリ７０６に記憶される。以下、簡単化のために、複数の異なるメモリ構造及びそれらの内容を、同じ参照番号で示す。各ビデオ画像７０６は、人体部分の場所にそれぞれ対応する各画素の値からなる行列によって定義される。各画素値は、画素の輝度を定義する信号レベル（例えば８ビットで符号化されている）からなる。例えば、グレースケールのビデオ画像では、画素値は、（人体部分の対応する場所における音響応答を表す）対応するエコー信号の強度の関数として、０（黒）から２５５（白）まで増大する。
【００８４】
分析処理の開始時において、スキャナのオペレータは、イメージングプローブを起動し、（いかなる造影剤も投与する前に）それを分析対象の人体部分の周囲に移動させる。対応する複数のビデオ画像７０６は、取得されるとすぐに、そのリアルタイム表示を行うようにディスプレイモジュール７０９に連続的に送られる（動作「Ａ１．初期化」）。オペレータは、（好ましくは、疑わしい領域を含む）分析対象の人体部分のゾーンを表す走査平面を選択し、イメージングプローブを固定位置に維持する。
【００８５】
次いで、造影剤が患者に投与され、超音波スキャナは、人体部分の選択された走査平面における灌流処理を表すさらなる一連のビデオ画像７０６を取得する（動作「Ａ２．取得」）。プロセッサ７１２がビデオ画像７０６のリポジトリにアクセスする。プロセッサ７１２は、複数のパラメトリック画像からなる対応するシーケンスを生成し、画像はリポジトリ７１５に格納される（動作「Ａ３．生成」）。各パラメトリック画像７１５は、人体部分の対応する場所について計算されている灌流パラメータの値をそれぞれ表す複数の画素値からなる行列によって定義される。パラメトリック画像７１５は、ビデオ画像７０６と同じサイズを有していてもよく（灌流パラメータ値が画素レベルで計算されるとき）、又は、より小さなサイズを有していてもよい（空間的なサブサンプリングを行って隣接画素のグループについて灌流パラメータ値を計算するとき）。例えば、各パラメトリック画像７１５は、上述の特許文献６で説明しているようにリアルタイムで取得される。この場合、各画素について、パラメトリック画像７１５は、人体部分の対応する場所の流入レート値ＷＲを含む。この値は、その時点までに利用可能なビデオ画像７０６における対応する画素値について（安定性時間ウィンドウにわたって一定値を維持した後で）ピークが検出されるとすぐに計算される。さもなければ、対応する画素値は値０に維持される。好ましくは、パラメトリック画像７１５さらに、（例えば、運動のアーティファクトに起因する）有意でない流入レート値ＷＲを無視するように、予め定義されたしきい値（例えば、パラメトリック画像７１５における許容される最大画素値の０から５％までの範囲）未満である各画素値を（値０に）リセットすることによってフィルタリングされる。
【００８６】
選択器７１８は、選択されたパラメトリック画像をリポジトリ７１５から抽出するためにオペレータによって使用される（動作「Ａ４．選択」）。例えば、この選択された画像７１５は、分析処理の最後において取得されるものである（人体部分について所定時間にわたって計算されたすべての流入レート値ＷＲの概要をもたらす）。飽和器７２１は、選択された画像７１５及び（予め定義された）知識ベース７２４にアクセスする。知識ベース７２４は、（分析対象である対応するカテゴリーの人体部分、又はそのゾーンにそれぞれ特有の）複数の自動スケーリング率Ｐｓを集めたものを格納する。飽和器７２１は、このカテゴリーの分析対象の人体部分に係る自動スケーリング率Ｐｓを知識ベース７２４から抽出する。飽和器７２１は、選択された画像７１５の（すべての）流入レート値の累積ヒストグラムを計算し、（累積ヒストグラムにおける自動スケーリング率Ｐｓに関連付けられた流入レート値ＷＲに対応する）飽和値ＷＲｓａｔを決定する。この飽和値ＷＲｓａｔは、対応するレジスタ７２７に格納される（動作「Ａ５．飽和」）。自動スケーリング器７３０は、レジスタ７２７から飽和値ＷＲｓａｔを抽出する。次いで、自動スケーリング器７３０は、選択された画像７１５から自動スケーリングされた画像を生成し、この自動スケーリングされた画像は、対応するファイル７３９に格納される（動作「Ａ６．自動スケーリング」）。自動スケーリングされた画像７３９は、飽和値ＷＲｓａｔより高いすべての流入レート値ＷＲを飽和値ＷＲｓａｔに等しく設定することによって、選択された画像７１５から取得される。
【００８７】
正規化器７４２は、自動スケーリングされた画像７３９にアクセスする。正規化器７４２は、自動スケーリングされた画像７３９の画素値を、予め定義された正規化範囲（例えば、０から１まで）に正規化する。これにより正規化された画像７４５がもたらされ、これは対応するファイルに格納される（動作「Ａ７．正規化」）。
【００８８】
境界設定器７４７は、選択された画像７１５を検索し、これをディスプレイモジュール７０９に表示する。オペレータは、選択された画像７１５において関心対象領域を（例えば、トラックボールを用いて、その周りに線を描画することにより）選択する。次いで、境界設定器７４７は、正規化された画像７４５における対応する関心対象領域（例えば、同じ座標を有する）を決定する。これにより、境界設定器７４７は、境界設定された画像を生成し、これは対応するファイル７４９に格納される（動作「Ａ８ａ．境界設定」）。境界設定された画像７４９は、関心対象領域の外側におけるすべての画素を値０にリセットすることによって、正規化された画像７４５から取得される。
【００８９】
計算器７５１が、境界設定された画像７４９にアクセスする。計算器７５１は、境界設定された画像７４９の関心対象領域における（すなわち、非０である画素値のみについての）流入レート値ＷＲのヒストグラムを計算する。このヒストグラムの表現（例えば、対応するビン及びその相対頻度の広がりをそれｓぞれ示す複数のセルからなるアレーを含む）がファイル７５４に格納される（動作「Ａ９ａ．計算」）。
【００９０】
あてはめ器７５７は、ファイル７５４からヒストグラムを抽出する。あてはめ器７５７は、ヒストグラム７５４に対数正規関数をあてはめることにより、対応する確率関数Ｆ（ＷＲ）を決定する。この確率関数Ｆ（ＷＲ）の表現（そのフィッティングパラメータ値ｍ及びｓによって定義される）がテーブル７６０に格納される（動作「Ａ１０ａ．あてはめ」）。
【００９１】
次いで、分析器７６３は、テーブル７６０からフィッティングパラメータ値ｍ及びｓを抽出する。分析器７６３は、フィッティングパラメータから、対応する確率関数Ｆ（ＷＲ）の２つ以上の統計的パラメータの値を計算する。計算すべき統計的パラメータのタイプ（例えば、モードｍｏｄ（ＷＲ）及び標準偏差σ（ＷＲ））は、分析器７６３によって知識ベース７２４から抽出される。このように取得された統計的パラメータ値（対応する結合された点を定義する）は、テーブル７６６に格納される（動作「Ａ１１ａ．分析」）。
【００９２】
一方、抽出器７６９はさらに知識ベース７２４にアクセスする。分析対象である各カテゴリーの人体部分、又はそのゾーンについて、知識ベース７２４はさらに、対応する発生しうる状態にそれぞれ関連する複数の基準エリアを集めたものの定義を格納する。各基準エリアは、一対の基準パラメータ（例えば、統計的パラメータに係る基準点及び基準のばらつき）の対応する値によって定義される。（オペレータによって示された）このカテゴリーの分析対象の人体部分について、抽出器７６９は、その各発生しうる状態に係る基準エリアの定義を知識ベース７２４から抽出し、これらの基準エリアの定義を対応するテーブル７２２に格納する（動作「Ａ１２．抽出」）。結合器７７５は、結合された点の定義７６６及び基準エリアの定義７７２にアクセスする。結合器７７５は、分析対象の人体部分の関心対象領域に係る確率関数Ｆ（ＷＲ）の結合された点の表現（テーブル７６６からの統計的パラメータ値によって定義される）と、その異なる複数の発生しうる状態に係る基準エリアの表現（テーブル７２２からの対応する基準パラメータ値のペアによって定義される）とを含む、２Ｄグラフを生成する（モードｍｏｄ（ＷＲ）を横軸にプロットし、標準偏差σ（ＷＲ）を縦軸にプロットしている）。このように取得されたグラフの表現は、対応するテーブル７７８（動作「Ａ１３．結合」）に格納される。次いで、このグラフ７７８は、その表示のためにディスプレイモジュール７０９に供給される（動作「Ａ１４ａ．表示」）。
【００９３】
図７Ｂを参照すると、本発明の他の実施形態に係るソリューションを実施するために使用可能な主要なソフトウェア及び／又はハードウェア構成要素７００ｂをともに表す図を示す。
【００９４】
上述のように、正規化された画像７４５は、選択された画像７１５に対して自動スケーリング及び正規化を行うことによって生成される。しかしながら、この場合、標本化器７８３が、正規化された画像７４５にアクセスする。標本化器７８３は、（正規化された画像７４５と同じサイズを有する）標本化マップを生成し、これはファイル７８６に保存される（動作「Ａ８ｂ．標本化」）。標本化マップ７８６の各エントリは、正規化された画像７４５の対応する画素を含むセルの座標を格納する。セルは予め定義されたサイズ（例えば、１０〜５０画素×１０〜５０画素）を有し、対応する画素を中心としてその周囲に設けられる。
【００９５】
上述したものと同じ計算器７５１が、正規化された画像７４５及び標本化マップ７８６にアクセスする。計算器７５１は、（標本化マップ７８６と同じサイズを有する）ヒストグラムマップを生成し、これはファイル７８９に保存される（動作「Ａ９ｂ．計算」）。ヒストグラムマップ７８９の各エントリは、標本化マップ７８６の対応するエントリにおいて定義された、正規化された画像７４５に係るそのセルについての流入レート値ＷＲのヒストグラムの表現を含む。
【００９６】
上述したものと同じあてはめ器７５７が、ヒストグラムマップ７８９にアクセスする。あてはめ器７５７は、（ヒストグラムマップ７８９と同じサイズを有する）関数マップを生成し、関数マップは、ファイル７９２に保存される（動作「Ａ１０ｂ．あてはめ」）。関数マップ７９２の各エントリは、ヒストグラムマップ７８９における対応するヒストグラムにあてはめ可能な確率関数Ｆ（ＷＲ）の表現を含む。
【００９７】
上述したものと同じ分析器７６３が、関数マップ７９２（及び知識ベース７２４）にアクセスする。分析器７６３は、（関数マップ７９２と同じサイズを有する）合成マップを生成し、合成マップはファイル７９５に保存される（動作「Ａ１１ｂ．分析」）。合成マップ７９５の各エントリは、対応する確率関数Ｆ（ＷＲ）から計算された、知識ベース７２４において示された統計的パラメータ（例えば、上述したように、モードｍｏｄ（ＷＲ）及び標準偏差σ（ＷＲ））の値を含む。
【００９８】
上述のように、抽出器７６９は、このカテゴリーの分析対象の人体部分に係る発生しうる状態についての基準エリアの定義（すなわち、複数組の基準パラメータ値からなるペア）を知識ベース７２４から抽出し、それらをテーブル７２２に格納する。この場合、各基準エリアについて、知識ベース７２４はさらに、異なる色の表現（例えば、色ルックアップテーブルについての対応するインデックスを含む）を格納し、この色表現も同様に知識ベース７２４から抽出され、テーブル７２２に格納される（同じ動作「Ａ１２．抽出」）。
【００９９】
評価器７９７は、合成マップ７９５及び基準エリアの定義７７２（複数組の基準パラメータ値からなるペアとそれらの色表現とを含む）にアクセスする。次いで、評価器７９７は、（合成マップ７９５と同じサイズを有する）合成画像を生成し、合成画像はファイル７９９に保存される（動作「Ａ１３ｂ．評価」）。各画素について、合成画像７９９は、（テーブル７２２からの対応する基準パラメータ値のペアによって定義された）基準エリアの色表現を含み、ここで、（合成マップ７９６の対応するエントリからの統計的パラメータ値によって定義された）対応する結合された点が存在し、一方、合成画像７９９の画素は、結合された点がいかなる基準エリアにも存在しないとき、異なるデフォルト色の表現を含む。例えば、前立腺のＰＺを分析する場合、正常な組織について緑色を基準エリアに関連付け、ＰＣａについて赤色を基準エリアに関連付けることができる（ここで、デフォルト色は黒に等しい）。さらに、（例えば、選択されたビデオ画像７０６を、合成画像７９９の黒に等しい画素値の背景において表示することにより）選択されたビデオ画像７０６上に合成画像７９９を重ねて表示することもできる。次いで、合成画像７９９は、その表示のためにディスプレイモジュール７０９に供給される（動作「Ａ１４ｂ．表示」）。
【０１００】
合成画像は、人体部分にわたる統計的パラメータ値の空間的分布を示し、それぞれ、人体部分の対応する場所の近傍における（自動スケーリングされかつ正規化された）パラメータ値の分布の対応する特性を示す。特に、（各結合された点を基準エリアと比較することに基づく）上述の色表現は、人体部分全体の概要を示し、これより、（疑わしい関心対象領域のいかなる先験的な選択を行う必要もなく）発生しうる病変を容易に同定して特徴付けることができる。実際に、上述の例を参照すると、緑（又は黒）のみで着色された合成画像は、前立腺全体の健康な状態を示し、それに対して、赤色で着色された合成画像の有意なエリアは、ＰＣａが疑われる場所を、そのサイズ及び位置とともに示す（当然ながら、最終的な診断は、常に医師によって行われなければならない）。
【０１０１】
ここで図８を考慮すると、上述の本発明の実施形態に係るシステムを構成するために使用可能な処理に関連する動作フローを、方法８００により示す。
【０１０２】
方法８００は、黒丸の開始部８０３で開始し、次いでブロック８０６に進み、ここで、あるカテゴリーのサンプル人体部分、又はそのゾーンが選択される。このカテゴリーのサンプル人体部分は、その各位置について、同じ条件で、その位置（例えば、前立腺のＰＺ及びＴＺ）に無関係に、上述の統計的分析の首尾一貫した結果をもたらすように選択される。
【０１０３】
次いで、このカテゴリーのサンプル人体部分の各発生しうるサンプル状態（例えば、正常な組織、ＰＣａ、前立腺炎、及びＢＰＨを含む）について、ループが実行される。ループはブロック８０９で開始し、ここで、サンプル状態のうちの１つが選択される。続いてブロック８１２に進み、サンプル状態における（このカテゴリーの）特定のサンプル人体部分に係るパラメトリック画像が生成される。この動作は、サンプル設定を有するサンプルスキャナを用いることによって、サンプル患者に対して実行される。次いでブロック８１５において、サンプル状態におけるサンプル人体部分について十分な個数のパラメトリック画像（例えば、１０〜２００）が取得されたか否かについて検証するテストが行われる。Ｎｏであるときは、方法８００はブロック８１８に進み、ここで、他のサンプルスキャナ及び／又は他のサンプル設定が選択される。次いで、動作フローはブロック８１２に戻り、このサンプル設定を有するこのサンプルスキャナを用いて、（同じサンプル人体部分上の、又は、異なるサンプル患者のサンプル人体部分上の）同じサンプル状態における同じカテゴリーのサンプル人体部分に係る他のサンプルパラメトリック画像を生成する。ブロック８１５において上述のループの終了条件が満たされるとすぐに、方法８００は下のブロック８２１に進む。このフェーズにおいて、このカテゴリーのサンプル人体部分のすべての発生しうるサンプル状態が処理されたか否かについて検証する別のテストが行われる。Ｎｏのときは、方法８００はブロック８０９に戻り、（異なるサンプル患者上の）同じカテゴリーのサンプル人体部分の次のサンプル状態に対して同じ動作を実行する。
【０１０４】
そうでないときは、ブロック８２４において、このカテゴリーのサンプル人体部分に係る自動スケーリング率Ｐｓが決定される。自動スケーリング率Ｐｓは、（実際に生成可能なすべての発生しうるパラメトリック画像を表す）このカテゴリーのサンプル人体部分のすべてのサンプルパラメトリック画像に係るヒストグラムの（自動スケーリングに起因する）有意な等化を保証するように選択される。この目的のために、自動スケーリング率Ｐｓは可能な限り小さくなければならず、少なくとも、各サンプルパラメトリック画像の累積ヒストグラムにおける最大の流入レート値ＷＲの割合未満、例えば、その最後から２番目のビンの割合未満でなければならない（そうでなければ、流入レート値ＷＲの飽和がまったく生じなくなる）。逆に、自動スケーリング率Ｐｓは、（流入レート値ＷＲの飽和は、ヒストグラムの対応する最後部のカットオフをもたらすので）自動スケーリングによって引き起こされる情報の損失を最小化するように可能な限り大きく維持されなければならない。このため、自動スケーリング率Ｐｓは、これらの対立する要件の間のトレードオフとして選択される。例えば、自動スケーリング率Ｐｓは、すべてのサンプルパラメトリック画像の累積ヒストグラムにおける最後から２番目のビンの割合の最大値から、予め定義された値（例えば、０〜５％）を削減した値に設定される。
【０１０５】
ブロック８２７に進み、各サンプルパラメトリック画像は、（このように決定された自動スケーリング率Ｐｓを用いて）自動スケーリングされている。次いでブロック８３０において、各（自動スケーリングされた）サンプルパラメトリック画像のヒストグラムが計算される。本方法は続いてブロック８３３に進み、ここで、各サンプルヒストグラムから曲線をあてはめることにより、サンプル確率関数Ｆ（ＷＲ）が決定される。ここでブロック８３６を参照すると、各サンプル確率関数について、複数のサンプル統計的パラメータからなる集合に係る値が計算される（例えば、平均ｍｅａｎ（ＷＲ）、モードｍｏｄ（ＷＲ）、メジアンｍｅｄ（ＷＲ）、標準偏差σ（ＷＲ）、及び歪みγ（ＷＲ））。続いてブロック８３９に進み、複数のサンプル統計的パラメータ又はその任意の組み合わせのうちで、このカテゴリーのサンプル人体部分の統計的分析に使用する２つ又は（それよりも多く）の統計的パラメータが決定される。これらの統計的パラメータは、例えば主成分分析によって、このカテゴリーのサンプル人体部分の異なる複数のサンプル状態を同定する能力を最大化するものが選択される。
【０１０６】
次いで、このカテゴリーのサンプル人体部分の各サンプル状態について、ループが実行される。ループはブロック８４２で開始し、ここで、サンプル状態のうちの１つが選択される。続いてブロック８４５に進み、このサンプル状態についてのサンプル確率関数からこのように決定された各統計的パラメータの値の平均及び標準偏差が計算され、対応する基準エリアが定義される。次いでブロック８４８において、このカテゴリーのサンプル人体部分すべてのサンプル状態が処理されたか否かについて検証するテストが行われる。Ｎｏであるときは、方法８００はブロック８４２に戻り、同じカテゴリーのサンプル人体部分の次のサンプル状態に対して同じ動作を実行する。
【０１０７】
そうでないときは、動作フローは下のブロック８５１に進む。このフェーズにおいて、このカテゴリーのサンプル人体部分（すなわち自動スケーリング率Ｐｓ）について、かつ、そのサンプル状態（すなわち対応する基準エリアの定義）についてこのように取得された情報が、提案するシステムの知識ベースを配置（populate）するために使用される。次いでブロック８５４において、他のカテゴリーのサンプル人体部分を処理するか否かについて検証するテストが実行されるＹｅｓであるときは、動作フローはブロック８０６に戻り、次のカテゴリーのサンプル人体部分に対して同じ動作を実行する。そうでないときは、方法８００は白黒の同心円の終了部８５７において終了する。
【０１０８】
変形例．
当然ながら、局所的及び特定の要件を満たすために、当業者は、多くの論理的及び／又は物理的な修正及び変更を上記のソリューションに適用してもよい。このソリューションは、その好ましい１つ又は複数の実施形態を参照してある程度の特殊な場合について説明してきたものの、より具体的には、それはさまざまな省略、置換、及び形態ならびに詳細における変更が可能であるとともに、他の実施形態も可能であることが理解されるべきである。特に、同じソリューションは、そのより完全な理解を提供するために上述の説明に記載されている特定の詳細事項（例えば数値例）なしで実施することができる。逆に、よく知られている機能は、不必要な事項で説明を不明瞭にしないようにするために省略又は簡略化している場合がある。さらに、開示したソリューションのいずれかの実施形態に関連して説明した特定の構成要素及び／又は方法ステップは、一般的な設計上の選択の問題として、他の任意の実施形態に組み込まれてもよいということが特に意図されている。
【０１０９】
特に、提案したソリューションは、それ自体、（同様のステップを使用して、非必須であるいくつかのステップを削除して、又は、さらにオプションのステップを追加することで）同等の方法で実施することに適している。さらに、これらのステップは、（少なくとも部分的に）異なる順序で、同時に、又はインターリーブされた方法で、実行されてもよい。
【０１１０】
提案する方法は、患者（特に、本方法の実施前に患者に予め投与されていてもよい造影剤）とのいかなる相互作用とも独立に実施可能であることに注意すべきである。さらに、また、患者への造影剤の投与は、非侵襲的な方法で行われてもよく、又はいずれにせよ、専門の医療技術を必要としたり又は患者に健康上のリスクをもたらしたりする患者への実質的な物理的介入なしに行われてもよい（例えば、筋内又は経口）。提案する方法は医師の仕事を容易化するが、これは一般的には中間の結果をもたらすだけであり、この中間の結果により、彼／彼女が人体部分の検査を例えば診断の目的で行うことを支援することができる（ただし、厳密な意味で治療目的の診断は、常に医師自身によって行われなければならない）。
【０１１１】
各パラメトリック画像が他の灌流パラメータ（例えば、血液量、平均速度、最大強度、ピークまでの時間、流入時間、到達時間、ピーク値の平方根を流入継続時間の二乗で割った値、又はそれらの組み合わせ）に基づくものであっても、同様の考察があてはまる。さらに、パラメトリック画像は他の任意の方法で生成されてもよく、例えば、各画素についての灌流処理全体を行う間に記録されたエコー信号に所定の数学的モデル関数をオフラインであてはめることによって生成されてもよい（単一の画素ではなく、複数の画素からなる複数のグループのレベルであってもよい）。さらに、同じソリューションを３Ｄパラメトリック画像に適用することについて、いかなるさまたげも存在しない。より一般的には、パラメトリック画像及び自動スケーリングされた画像は、人体部分の対応する場所を特徴付けるものである（それぞれ初めから計算されかつ自動スケーリングされた）任意のパラメータ値をそれぞれ含む、同等のマップによって置き換えられてもよい。パラメータ値は、（これらのマップは必ずしも表示されなくてもよいので）ビデオフォーマットを持たなくてもよい。
【０１１２】
提案するソリューションは、関心対象領域における自動スケーリングされたパラメータ値の分布に係る任意の統計的指示子、又は複数の統計的指示子からなる組み合わせを計算することによって（さらに任意の方法で表示する、例えばモニタ上に又は印刷物として表示することによって）実施することに適している。例えば、それらのヒストグラム、対応する確率関数、及び／又は、他の任意の統計的パラメータ（例えば、その歪み）の値のみを提供することができる。それに加えて、自動スケーリングされたパラメトリック画像を表示することもできる。自動スケーリングされたパラメトリック画像は、背景における選択されたフィルタリング済み画像上に重ね合わされてもよく、関心対象領域の外側の（元の）ビデオ画像上に重ね合わされてもよく、又は、コントラスト非特異の画像（エコー信号から直接に取得される基本Ｂモード画像など）と組み合わされてもよい。
【０１１３】
提案するソリューションは、同等の造影剤を用いて実施することに適している。いずれにせよ、例えば、提案するソリューションを、造影剤の投与を行うことなく、磁気共鳴イメージング（Magnetic Resonance Imaging：ＭＲＩ）やＸ線コンピュータ断層撮影（X-ray Computed Tomography：ＣＴ）に基づく他の任意の医療用イメージングシステムへ適用する可能性を除外するものではない。
【０１１４】
同じ方法を逆の論理で適用することについて、いかなるさまたげも存在しない。この場合、自動スケーリング率Ｐｓは値０％を示す（例えば、０．０１％から２０％までの範囲を有する）。従って、いったん上述のように飽和値ＷＲｓａｔが決定されると、パラメトリック画像は、飽和値ＷＲｓａｔ未満であるその流入レート値ＷＲを飽和値ＷＲｓａｔに等しく設定することにより自動スケーリングされている。
【０１１５】
同様に、飽和値ＷＲｓａｔは、累積ヒストグラムを計算することなしに、他の任意の同等の方法で決定されてもよい。例えば、画素値を降順に配置してそれらを自動スケーリング率の補数（１００％−Ｐｓ）に達するまでスキャンすることによって同じ結果を達成してもよく、又は、より一般的には、流入レート値ＷＲからなる順序付けられたシーケンスを、その部分集合であって、予め定義された割合の流入レート値ＷＲに対応する（例えば、最も近い）所定の（整数）個数の流入レート値ＷＲをそれぞれ含む２つの部分集合に分割することに適した他の任意のアルゴリズムを用いることで同じ結果を達成してもよい。例えば、自動スケーリング率Ｐｓにおいて飽和値ＷＲｓａｔよりも小さい（又は等しい）流入レート値ＷＲを有するように、当該飽和値ＷＲｓａｔを決定することができる。
【０１１６】
提案する自動スケーリング率Ｐｓの値は単なる例示であり、限定するものとして解釈してはならない。例えば、異なる複数の値の自動スケーリング率Ｐｓを用いることができ、又は逆に、すべての人体部分について同じ値を用いることもできる。
【０１１７】
自動スケーリングされたパラメトリック画像は、他の任意の方法で、任意の正規化範囲に正規化されてもよい（この動作が厳密には不要である場合、例えば、統計的分析が対応する確率関数の形状指示子のみに基づく場合）。
【０１１８】
各ヒストグラムが異なる構造を有する場合（例えば、ビンの個数が異なり、従って幅が異なる場合）にも、同様の考察があてはまる。
【０１１９】
それに代わって、各確率関数は、（例えば、ニューラルネットワークを用いることにより）その性質についてのいかなる仮定もなしに同等の技術を用いて決定されてもよい。同様に、対応するヒストグラムに他の任意の関数、例えば、ガンマ変量（gamma-variate）関数、局所的密度の乱歩関数、などをあてはめることにより、確率関数を決定することができる。
【０１２０】
当然ながら、提案する統計的パラメータは単なる例示であり、限定するものとして解釈してはならない。より一般的には、任意個数の統計的パラメータ又はそれらの組み合わせ（最小で１つ）を用いることができる。
【０１２１】
それに加えて、統計的パラメータ値は、対応するヒストグラム及び／又は確率関数を計算することなく、自動スケーリングされた値から直接に取得されてもよい。
【０１２２】
複数のパラメータ値からなる異なる複数の集合に対して自動スケーリング及び／又は統計的分析を適用することについて、いかなるさまたげも存在しない。例えば、自動スケーリングを関心対象領域のみに適用することができ、又は逆に、統計的分析を人体部分全体に適用することができる。さらに、関心対象領域は、人体部分の他の任意の画像（例えば、自動スケーリングされた画像自体、元のビデオ画像のうちの１つ、又は、フィルタリングされた画像のうちの１つ）上で選択されてもよい。
【０１２３】
いずれにせよ、統計的パラメータ値は、他の任意の方法で表示されてもよい（単なるテーブルを用いてもよい）。一方、３つ以上の次元を有するグラフ（例えば、４つの統計的パラメータによって定義される結合された点を表す着色によって定義される３軸及び別の次元を含む）が使用されてもよい。
【０１２４】
同様の考察が基準エリアにあてはまる。例えば、複数の基準エリアが、異なる複数の基準パラメータ（例えば、平均値ｍｅａｎ（ｍｏｄ），ｍｅａｎ（σの周囲））によって、及び／又は、異なる形状（例えば、標準偏差値σ（ｍｏｄ），σ（σ）の予め定義された倍数に等しい半径によって定義される中心の周囲にわたる範囲を有する）を有して、定義されてもよい。いずれにせよ、この機能は、提案するソリューションの基本的実装では省略されてもよい。
【０１２５】
いずれにせよ、複数の統計的パラメータ値を使用する（そしてそれらを対応するグラフに表示する）ことに基づく上述の技術は、提案するパラメトリック画像の自動スケーリングなしに（すなわち、元のパラメトリック画像においてそれらを直接に計算することによって）使用することもに適しているということを強調する。
【０１２６】
いずれにせよ、合成画像を（例えばモニタ上に又は印刷物として）表示してもよい。さらに、合成画像を選択されたフィルタリング済みの画像又はコントラスト特異の画像上に重ね合わせることができ、又は、合成画像のみを（背景における他のいかなる画像もなしに）表示することもできる。
【０１２７】
合成画像における各画素の統計的パラメータ値を計算するために使用されるセルは、他の任意のサイズ（（正規化された）自動スケーリングされた画像の全体にわたって変化させたときであっても、統計的に有意な結果をもたらすように十分に大きい）及び／又は形状（例えば、円形）を有してもよい。さらに、（市松模様の効果を有する）各セルのすべての画素について同じ統計的パラメータ値を有する合成画像を取得するように、自動スケーリングされたパラメトリック画像を複数の固定セルに単に分割する可能性を除外するものではない。
【０１２８】
（正規化された）自動スケーリングされた画像のみに係る関心対象領域について合成画像を生成することについて、いかなるさまたげも存在しない。
【０１２９】
より一般的には、合成画像の各画素は、対応する統計的パラメータ値に基づく任意の値を表してもよい。例えば、本発明の代替の実施形態では、合成画像の各画素を単に対応する統計的パラメータ値に設定することができる。特に、各画素について単一の統計的パラメータの値が計算されるとき（例えば、歪み）、異なる色を用いて、好ましくは統計的パラメータ値の増大に応じて輝度が増大するように表されてもよい。それに代わって、各画素について２つの統計的パラメータの値が計算されるとき（例えば、上述のようにモード及び標準偏差）、これらは、モード値について異なる色を用いて表され、標準偏差値について（対応するモード値を表す色の）異なる輝度によって表されてもよい。
【０１３０】
さらに、合成画像の各画素を（その結合された点と利用可能な基準エリアとを比較することにより）異なる方法で設定することができる。例えば、画素は、結合された点が異なる基準エリアにわたって移動するときに次第に変化する色に設定されてもよい。
【０１３１】
いずれにせよ、合成画像を生成する上述の技術は、提案するパラメトリック画像の自動スケーリングなしに（すなわち、元のパラメトリック画像に対して直接に行うことにより）使用することに適しているということを強調する。
【０１３２】
提案するシステムは、他の任意の方法で構成されてもよい。例えば、各人体部分（又はそのゾーン）の自動スケーリング率Ｐｓは、サンプルパラメトリック画像に基づいて異なる複数の値に設定されてもよい。それに代わって、シミュレーション技術を用いて自動スケーリング率Ｐｓの最適値を決定することも、又は逆に、すべての人体部分について同じ予め定義された自動スケーリング率Ｐｓを使用することもできる。
【０１３３】
提案するシステムの知識ベースを配置することに適した他の任意の手順がある。例えば、（対応するシステムを使用する医師によって提供される入力に従って）知識ベースがその使用中に連続的に更新される自律システムを実施することができる。
【０１３４】
それに代わって、確率関数の統計的分析のために使用される統計的パラメータは、他の技術を用いて決定されてもよく、又は予め定義されていてもよい（すべての人体部分について同じタイプであってもよい）。
【０１３５】
このソリューションは、超音波スキャナの既存の制御プログラムのプラグインとして実装されてもよく、このとき、同じ制御プログラム内に直接実装されてもよく、又はスタンドアロンアプリケーション（別個のコンピュータ上で実行されていてもよく、又はネットワークサービスとして提供されていてもよい）として実装されてもよい。（本発明の各実施形態を実施するために使用される）プログラムが別の方法で構造化されている場合、又は追加のモジュールや機能が用意されている場合にも、同様の考察があてはまる。同様に、メモリ構造は、他のタイプであってもよく、又は同等のエンティティ（必ずしも物理的記憶媒体で構成されていない）で置き換えられてもよい。いずれにせよ、プログラムは、任意のデータ処理システムによって、又はそれに接続して（例えば、仮想マシン内で）使用することに適した任意の形態をとることができる。特に、プログラムは外部又は常駐ソフトウェア、ファームウェア、又はマイクロコードの形態（オブジェクトコードであるか、又は例えばコンパイル又は解釈されるソースコードであるかのいずれかの形態）であってもよい。また、任意のコンピュータ使用可能な媒体であって、プログラムを格納、記憶、通信、伝播、又は転送するのに適した任意の構成要素であってもよい媒体上でプログラムを提供することができる。例えば、媒体は、電子、磁気、光学、電磁気、赤外線、又は半導体型のものであってもよい。このような媒体の例は、固定ディスク（プログラムを事前ロードできる場所）、リムーバブルディスク、テープ、カード、有線、ファイバー、無線接続、ネットワーク、電磁波、などである。いずれにせよ、本発明の実施形態に係るソリューションは、ハードウェアの構造（例えば、半導体材料のチップに統合された）を用いた実装にも、又はソフトウェアとハードウェアの組み合わせを用いた実装にも適している。
【０１３６】
特に、超音波スキャナが異なる構造を持っているか、又は他のユニットを含んでいる場合（例えば、リニア、凸、フェーズド、又はマトリックスアレー型のイメージングプローブを用いる場合）にも、同様の考察が適用される。それに代わって、提案するソリューションは、超音波スキャナと別個のコンピュータ（又は任意の同等のデータ処理システム）で構成される診断システムに適用される。この場合は、記録された情報は、その処理のために超音波スキャナからコンピュータに（例えば、ディジタル、アナログ、又はネットワークの接続を経由して）転送される。
【０１３７】
上記のソリューション及びその任意の変形は、有利に、従来の診断方法（上述のステップ、すなわち、造影剤を投与するステップと、分析対象の人体部分から必要なデータを取得するステップと、データを上述のように処理して人体部分の状態を評価できるようにするための情報を取得するステップとを含む）に使用することができる。特に、造影剤の注入は、動脈内、リンパ内、皮下、筋肉内、皮内、腹腔内、間質、髄腔内又は腫瘍内の経路に、持続注入（破壊的フラッシュの適用の有無にかかわらず）として、（例えば胃腸管のイメージングを行うために）経口により、ネブライザーを介して気道に、などで実行可能である。さらに、先の説明では前立腺の分析を参照したが、これは限定を意図したものではなく、同じソリューションが、他の人体部分（例えば肝臓や胸など）に係る任意の種類の分析に、同様に用途を発見する可能性がある。より一般的には、診断方法という用語は、その最も広い意味で解釈されなければならない（例えば、関心対象領域における病的状態を同定及び／又は特徴付けること、病的状態の進展又は治療に対する反応をモニタリングすること、など）。
【図１】
0005593382.tif 000010
【図２Ａ】
0005593382.tif 000011
【図２Ｂ】
0005593382.tif 000012
【図２Ｃ】
0005593382.tif 000013
【図２Ｄ】
0005593382.tif 000014
【図２Ｅ】
0005593382.tif 000015
【図３Ａ】
0005593382.tif 000016
【図３Ｂ】
0005593382.tif 000017
【図３Ｃ】
0005593382.tif 000018
【図４Ａ】
0005593382.tif 000019
【図４Ｂ】
0005593382.tif 000020
【図４Ｃ】
0005593382.tif 000021
【図４Ｄ】
0005593382.tif 000022
【図４Ｅ】
0005593382.tif 000023
【図４Ｆ】
0005593382.tif 000024
【図４Ｇ】
0005593382.tif 000025
【図４Ｈ】
0005593382.tif 000026
【図５Ａ】
0005593382.tif 000027
【図５Ｂ】
0005593382.tif 000028
【図５Ｃ】
0005593382.tif 000029
【図５Ｄ】
0005593382.tif 000030
【図５Ｅ】
0005593382.tif 000031
【図６Ａ】
0005593382.tif 000032
【図６Ｂ】
0005593382.tif 000033
【図７Ａ】
0005593382.tif 000034
【図７Ｂ】
0005593382.tif 000035
【図８】
0005593382.tif 000036